(57)【要約】【課題】HD-SDI信号の複数チャンネル(ch.) を多重化処理を施したもとで送受でき、また、４ｋ×２ｋ信号等についてのシリアル伝送、さらには、多数ch. のSD信号、あるいは、複数ch. のSD信号とHD-SDI信号とについての多重化処理を施したもとでのシリアル伝送を実用的に実現できるものとする。【解決手段】ｎch. のHD-SDI信号に基づくワード列データＤｈ１〜Ｄｈｎを得、それらに８Ｂ／１０Ｂ変換を施してワード列データＤｅ１〜Ｄｅｎを形成するパラレルデータ形成部１１と、ワード列データＤｅ１〜Ｄｅｎに基づく多重ワード列データＤｍを得るデータ多重部２２と、多重ワード列データＤｍからｍch. のビット列データＤＳＸを形成する多ch. データ形成部２６と、ビット列データＤＳＸに基づくデータレートを１０Ｇb/s 以上とするビット列データＤＴＧを形成するデータ多重・Ｐ／Ｓ変換部２７と、ビット列データＤＴＧを送出する電光変換部２８とを備える。【選択図】図１
2005328494.tif 000002
【特許請求の範囲】
【請求項１】
各々が規格に定められたビットレートを有したビット列データを成すｎチャンネル（ｎは２以上の整数）の第１のシリアルディジタル映像信号が供給され、該ｎチャンネルの第１のシリアルディジタル映像信号に基づく、各々が規格に定められたライン分データ構造を有したパラレルディジタル映像信号を成すｎチャンネルの第１のワード列データを得る複数のシリアル／パラレル変換手段と、
該複数のシリアル／パラレル変換手段から得られるｎチャンネルの第１のワード列データが供給され、該ｎチャンネルの第１のワード列データの各々に第１の所定ビット数ずつの８ビット／１０ビット変換処理を施して、各々が所定ワードビット数を有したｎチャンネルの第２のワード列データを形成する複数の８ビット／１０ビット変換手段と、
該複数の８ビット／１０ビット変換手段から得られるｎチャンネルの第２のワード列データを多重して多重ワード列データを形成するデータ多重手段と、
該データ多重手段から得られる多重ワード列データから第２の所定ビット数ずつを取り出して、各々が所定のビットレートを有したｍチャンネル（ｍはｎより大なる整数）のビット列データを形成する多チャンネルデータ形成手段と、
該多チャンネルデータ形成手段から得られるｍチャンネルのビット列データを多重するとともにパラレル・シリアル変換を施して、データレートを１０Ｇb/s 以上とするビット列データを、第２のシリアルディジタル映像信号として形成するデータ多重・パラレル／シリアル変換手段と、
該データ多重・パラレル／シリアル変換手段から得られるデータレートを１０Ｇb/s 以上とするビット列データを伝送すべく送出するデータ送出手段と、
を備えて構成されるデータ送信装置。
【請求項２】
上記複数のシリアル／パラレル変換手段から得られるｎチャンネルの第１のワード列データのうちの一つに、予め定められたワード同期データと識別ワードデータとを入換挿入するデータ挿入手段が備えられることを特徴とする請求項１記載のデータ送信装置。
【請求項３】
各々が、上記複数のシリアル／パラレル変換手段から得られるｎチャンネルの第１のワード列データのうちのいずれかが書き込まれるとともに、書き込まれた第１のワード列データが上記第１の所定ビット数ずつ読み出されるものとされる、複数のメモリ手段が備えられることを特徴とする請求項１記載のデータ送信装置。
【請求項４】
上記データ多重手段から得られる多重ワード列データが、第１の周波数を有した書込クロック信号をもって書き込まれるとともに、上記第１の周波数とは異なる第２の周波数を有した読出クロック信号をもって読み出されて上記多チャンネルデータ形成手段へと送られるメモリ手段が備えられることを特徴とする請求項１記載のデータ送信装置。
【請求項５】
上記データ送出手段が、上記データ多重・パラレル／シリアル変換手段から得られるデータレートを１０Ｇb/s 以上とするビット列データを、光信号に変換して、光信号伝送ケーブルへと送出することを特徴とする請求項１記載のデータ送信装置。
【請求項６】
特定のフレームレート，量子化ビット数、及び、緑色，青色及び赤色原色信号データ系列の並列配置をもって構成されたワード列データを成す特定パラレルディジタル映像信号が供給され、該特定パラレルディジタル映像信号を、各々が規格に定められたビットレートを有したビット列データを成すｎチャンネルの第１のシリアルディジタル映像信号に変換する複数チャンネルシリアルディジタル映像信号形成手段が備えられ、該複数チャンネルシリアルディジタル映像信号形成手段から得られる上記ｎチャンネルの第１のシリアルディジタル映像信号が上記複数のシリアル／パラレル変換手段に供給されることを特徴とする請求項１記載のデータ送信装置。
【請求項７】
各々が上記第１のシリアルディジタル映像信号のビットレートより低い規格に定められたビットレートを有したビット列データを成すｐチャンネル（ｐは２以上の整数）の第３のシリアルディジタル映像信号が供給され、該ｐチャンネルの第３のシリアルディジタル映像信号に基づく１チャンネルの第１のシリアルディジタル映像信号を形成するシリアルディジタル映像信号形成部がｎ個備えられ、該ｎ個のシリアルディジタル映像信号形成部から夫々得られる上記ｎチャンネルの第１のシリアルディジタル映像信号が上記複数のシリアル／パラレル変換手段に供給されることを特徴とする請求項１記載のデータ送信装置。
【請求項８】
各々が上記第１のシリアルディジタル映像信号のビットレートより低い規格に定められたビットレートを有したビット列データを成すｐチャンネル（ｐは２以上の整数）の第３のシリアルディジタル映像信号が供給され、該ｐチャンネルの第３のシリアルディジタル映像信号に基づく１チャンネルの第１のシリアルディジタル映像信号を形成するシリアルディジタル映像信号形成部がｑ個（ｑはｎより小なる整数）備えられ、該ｑ個のシリアルディジタル映像信号形成部から夫々得られる上記ｑチャンネルの第１のシリアルディジタル映像信号とｎ−ｑチャンネルの第１のシリアルディジタル映像信号とが、ｎチャンネルの第１のシリアルディジタル映像信号として上記複数のシリアル／パラレル変換手段に供給されることを特徴とする請求項１記載のデータ送信装置。
【請求項９】
上記ｐチャンネルの第３のシリアルディジタル映像信号に基づく１チャンネルの第１のシリアルディジタル映像信号を形成するシリアルディジタル映像信号形成部が１個備えられ、該１個のシリアルディジタル映像信号形成部から得られる１チャンネルの第１のシリアルディジタル映像信号とｎ−１チャンネルの第１のシリアルディジタル映像信号とが、ｎチャンネルの第１のシリアルディジタル映像信号として上記複数のシリアル／パラレル変換手段に供給されることを特徴とする請求項８記載のデータ送信装置。
【請求項１０】
上記ｐチャンネルの第３のシリアルディジタル映像信号に基づく１チャンネルの第１のシリアルディジタル映像信号を形成するシリアルディジタル映像信号形成部がｑ個（ｑはｎより小なる整数）備えられ、該ｑ個のシリアルディジタル映像信号形成部から夫々得られる上記ｑチャンネルの第１のシリアルディジタル映像信号と１チャンネルの第１のシリアルディジタル映像信号とが、ｎチャンネルの第１のシリアルディジタル映像信号として上記複数のシリアル／パラレル変換手段に供給されることを特徴とする請求項８記載のデータ送信装置。
【請求項１１】
ビットレートを１０Ｇb/s 以上とするビット列データを第１のシリアルディジタル映像信号として受けるデータ受取手段と、
該データ受取手段から得られるビットレートを１０Ｇb/s 以上とするビット列データにシリアル／パラレル変換を施すとともに、各々が所定のビットレートを有したｍチャンネル（ｍは３以上の整数）のビット列データを形成するシリアル／パラレル変換・多チャンネルデータ形成手段と、
該シリアル／パラレル変換・多チャンネルデータ形成手段から得られるｍチャンネルのビット列データを多重して、多重ワード列データを形成するデータ多重手段と、
該データ多重手段から得られる多重ワード列データから、第１の所定ビットずつを取り出して、各々が所定ワードビット数を有したｎチャンネ（ｎはｍより小なる２以上の整数）の第１のワード列データを得るデータ分離手段と、
該データ分離手段から得られるｎチャンネの第１のワード列データが供給され、該ｎチャンネの第１のワード列データの各々に第２の所定ビット数ずつの１０ビット／８ビット変換処理を施して、各々が規格に定められたライン分データ構造を有したパラレルディジタル映像信号とされるｎチャンネルの第２のワード列データを形成する複数の１０ビット／８ビット変換手段と、
該複数の１０ビット／８ビット変換手段から得られるｎチャンネルの第２のワード列データが供給され、上記ｎチャンネルの第２のワード列データに基づく、各々が規格に定められたビットレートを有したビット列データを成すｎチャンネルの第２のシリアルディジタル映像信号を得る複数のパラレル／シリアル変換手段と、
を備えて構成されるデータ受信装置。
【請求項１２】
上記データ受取手段が、光信号伝送ケーブルを通じて受け取った光信号を、ビットレートを１０Ｇb/s 以上とするビット列データに変換して、第１のシリアルディジタル映像信号を得ることを特徴とする請求項１１記載のデータ受信装置。
【請求項１３】
上記データ多重手段から得られる多重ワード列データが、第１の周波数を有した書込クロック信号をもって書き込まれるとともに、上記第１の周波数とは異なる第２の周波数を有した読出クロック信号をもって読み出されて上記データ分離手段へと送られるメモリ手段が備えられることを特徴とする請求項１１記載のデータ受信装置。
【請求項１４】
各々が、上記複数の１０ビット／８ビット変換手段から得られるｎチャンネルの第２のワード列データのうちのいずれかが書き込まれるとともに、書き込まれた第２のワード列データが上記第２の所定ビット数ずつ読み出されるものとされる、複数のメモリ手段が備えられることを特徴とする請求項１１記載のデータ受信装置。
【請求項１５】
上記複数のパラレル／シリアル変換手段から得られる各々が規格に定められたビットレートを有したビット列データを成すｎチャンネルの第２のシリアルディジタル映像信号が供給され、該ｎチャンネルの第２のシリアルディジタル映像信号を、特定のフレームレート，量子化ビット数、及び、緑色，青色及び赤色原色信号データ系列の並列配置をもって構成されたワード列データを成す特定パラレルディジタル映像信号に変換して送出する特定パラレルディジタル映像信号形成手段が備えられることを特徴とする請求項１１記載のデータ受信装置。
【請求項１６】
上記複数のパラレル／シリアル変換手段から得られる各々が規格に定められたビットレートを有したビット列データを成すｎチャンネルの第２のシリアルディジタル映像信号が夫々供給され、各々が上記ｎチャンネルの第２のシリアルディジタル映像信号の一つを該第２のシリアルディジタル映像信号のビットレートより低い規格に定められたビットレートを有したビット列データを成すｐチャンネル（ｐは２以上の整数）の第３のシリアルディジタル映像信号に変換して送出するｎ個のパラレルディジタル映像信号形成部が備えられることを特徴とする請求項１１記載のデータ受信装置。
【請求項１７】
上記複数のパラレル／シリアル変換手段から得られる各々が規格に定められたビットレートを有したビット列データを成すｎチャンネルの第２のシリアルディジタル映像信号のうちのｑ個（ｑはｎより小なる整数）が夫々供給され、各々が上記ｎチャンネルの第２のシリアルディジタル映像信号の一つを該第２のシリアルディジタル映像信号のビットレートより低い規格に定められたビットレートを有したビット列データを成すｐチャンネルの第３のシリアルディジタル映像信号に変換して送出するｑ個のパラレルディジタル映像信号形成部が備えられることを特徴とする請求項１１記載のデータ受信装置。
【請求項１８】
上記ｎチャンネルの第２のシリアルディジタル映像信号の一つを該第２のシリアルディジタル映像信号のビットレートより低い規格に定められたビットレートを有したビット列データを成すｐチャンネルの第３のシリアルディジタル映像信号に変換して送出する１個のパラレルディジタル映像信号形成部が備えられることを特徴とする請求項１７記載のデータ受信装置。
【請求項１９】
各々が上記ｎチャンネルの第２のシリアルディジタル映像信号の一つを該第２のシリアルディジタル映像信号のビットレートより低い規格に定められたビットレートを有したビット列データを成すｐチャンネルの第３のシリアルディジタル映像信号に変換して送出するｎ−１個のパラレルディジタル映像信号形成部が備えられることを特徴とする請求項１７記載のデータ受信装置。
【発明の詳細な説明】
【技術分野】
【０００１】
本願の特許請求の範囲に記載された発明は、規格に準拠したビットレートを有するビット列データを成すシリアルディジタル映像信号についての伝送を行うに際して用いられる、ビット列データを送信するデータ送信装置及びそのデータ送信装置により送信されたビット列データを受信するデータ受信装置に関する。
【背景技術】
【０００２】
映像信号の分野においては、伝達情報の多様化及び再生画像の高品質化等を実現する観点から、ディジタル化への取組が積極的になされており、映像信号情報をあらわすディジタルデータにより形成されるディジタル映像信号が、幾つかの異なった方式をもって提案されている。例えば、各フレームにおけるライン数を５２５ラインとする標準テレビジョンシステムのもとにおける映像信号情報をあらわすディジタルデータにより形成される４：２：２コンポーネントディジタル映像信号（以下、Ｄ１信号という。），各フレームにおけるライン数を１１２５ラインとする高精細度テレビジョン（High Definition Television : HDTV)システムのもとにおけるディジタル映像信号（以下、ＨＤ信号という。）等が知られている。
【０００３】
Ｄ１信号は、例えば、映像信号における輝度信号成分をあらわす１０ビットワード列データとされたＹデータ系列と、映像信号における色差信号成分をあらわす１０ビットワード列データとされたＣB ／ＣR データ系列とに、ワード多重処理が施されて構成される。また、ＨＤ信号は、所定のデータフォーマットに従ったワード列データとして形成され、Ｙデータ系列とＣB ／ＣR データ系列とから成るＹ，ＣB ／ＣR 形式のものと、映像信号における緑色原色信号成分，青色原色信号成分及び赤色原色信号成分を夫々をあらわすＧデータ系列，Ｂデータ系列及びＲデータ系列から成るＧ，Ｂ，Ｒ形式のものとがある。
【０００４】
このようなディジタル映像信号が、例えば、同軸ケーブル，オプティカル・ファイバーによって形成される光信号伝送ケーブル等で構成される信号伝送路を通じて伝送されるに際しては、信号伝送路の構造が簡略化されることからして、ディジタル映像信号がワード列データからビット列データ（シリアルディジタル映像信号）に変換されて伝送されるシリアル伝送が望まれることになる。そして、Ｄ１信号のシリアル伝送及びＨＤ信号のシリアル伝送については、夫々に関して米国のＳＭＰＴＥ (Society of Motion Picture and Television Engineers：動画及びテレビジョン技術者協会）による規格化がなされており、Ｄ１信号については、ＳＭＰＴＥによって制定された規格である SMPTE 259M によるＳＤＩ (Serial Digital Interface) に準拠した伝送が行われ（非特許文献１参照。）、また、ＨＤ信号については、ＳＭＰＴＥによって制定された規格である SMPTE 292M によるＨＤ−ＳＤＩ (High Definition-Serial Digital Interface) に準拠した伝送が行われる（非特許文献２参照。）。
【０００５】
ＳＤＩに準拠した伝送にあっては、同軸ケーブル，光信号伝送ケーブル等で形成される信号伝送路を通じて伝送されるビット列データであるシリアルディジタル映像信号が、そのデータレート（ビットレート）を、例えば、２７０Ｍb/s とするものとされることが、規格として定められている。即ち、ＳＤＩに準拠した伝送に供されるシリアルディジタル映像信号（以下、ＳＤ信号という。）の伝送にあたっては、ＳＤ信号は、ビットレートを、例えば、２７０Ｍb/s とするものとされるのである。一方、ＨＤ−ＳＤＩに準拠した伝送にあっては、同軸ケーブル，光信号伝送ケーブル等で形成される信号伝送路を通じて伝送されるビット列データであるシリアルディジタル映像信号が、そのビットレートを１．４８５Ｇb/s もしくは１．４８５／１．００１Ｇb/s （本願においては、これらのビットレートのいずれをも１．４８５Ｇb/s という。）とするものとされることが、規格として定められている。即ち、ＨＤ−ＳＤＩに準拠した伝送に供されるシリアルディジタル映像信号（以下、ＨＤ−ＳＤＩ信号という。）の伝送にあたっては、ＨＤ−ＳＤＩ信号は、ビットレートを１．４８５Ｇb/s とするものとされるのである。
【０００６】
このようなシリアルディジタル映像信号であるＳＤ信号及びＨＤ−ＳＤＩ信号のうちのＨＤ−ＳＤＩ信号については、その元となるＨＤ信号が、所定のデータフォーマット（以下、ソースフォーマットという。）を有したものに限定される。斯かる限定されたＨＤ信号が有するソースフォーマットは、例えば、フレームレート：２４Ｈｚもしくは２４／１．００１Ｈｚ（本願においては、これらのいずれをも２４Ｈｚという。），２５Ｈｚあるいは３０Ｈｚもしくは３０／１．００１Ｈｚ（本願においては、これらのいずれをも３０Ｈｚという。），各フレームにおける有効ライン数：１０８０ライン（各フレームにおける総ライン数：１１２５ライン），各ラインにおける有効ワード数：１９２０ワード，ワードビット数（量子化ビット数）：１０ビット，データ形式：Ｙ，ＣB ／ＣR 形式等々のパラメータによって規定されるものとされる。
【０００７】
こうした状況のなかで、ディジタル映像信号について、それに基づいて再生される画像の解像度の一層の向上，画質改善の更なる追求等を目的として、そのデータフォーマットを規定するパラメータについて、フレームレートを６０Ｈｚもしくは６０／１．００１Ｈｚ（本願においては、これらのいずれをも６０Ｈｚという。）あるいは９０Ｈｚもしくは９０／１．００１Ｈｚ（本願においては、これらのいずれをも９０Ｈｚという。）とすること，各フレームにおける有効ライン数及び各ラインにおける有効ワード数を１０８０ライン及び１９２０ワードに限ることなく、それらより大、例えば、１０８０ライン及び１９２０ワードの２倍程度とすること，ワードビット数を１０ビットを越えるビット数、例えば、１２ビット，１４ビット等とすること、さらには、データ形式をＧ，Ｂ，Ｒ形式とすること等々が提案されている。斯かる提案に従ったディジタル映像信号の例としては、そのデータフォーマットが、例えば、フレームレート：６０Ｈｚ，各フレームにおける有効ライン数：１０８０ライン，各ラインにおける有効ワード数：１９２０ワード，ワードビット数：１２ビット，データ形式：Ｇ，Ｂ，Ｒ形式等々のパラメータによって規定されるもの（以下、次世代カメラ信号という。），そのデータフォーマットが、例えば、フレームレート：９０Ｈｚ，各フレームにおける有効ライン数：１０８０ライン，各ラインにおける有効ワード数：１９２０ワード，ワードビット数：１４ビット，データ形式：Ｇ，Ｂ，Ｒ形式等々のパラメータによって規定されるもの（以下、ＨＤスーパーモーション信号という。）、さらには、そのデータフォーマットが、例えば、フレームレート：２４Ｈｚ，各フレームにおける有効ライン数：２１６０ライン，各ラインにおける有効ワード数：４０９６ワード，ワードビット数：１２ビット，データ形式：Ｇ，Ｂ，Ｒ形式等々のパラメータによって規定されるもの（以下、４ｋ×２ｋ信号という。）等がある。
【０００８】
これらの次世代カメラ信号，ＨＤスーパーモーション信号，４ｋ×２ｋ信号等の夫々についても、その伝送にあたっては、ワード列データをなすパラレルディジタル映像信号からビット列データを成すシリアルディジタル映像信号に変換されて伝送されるシリアル伝送が望まれることになる。
【非特許文献１】SMPTE STANDARD  SMPTE 259M-1997, for Television − 10-Bit 4:2:2 Component and 4fsc Composite Digital Signals−Serial Digital Interface
【非特許文献２】SMPTE STANDARD  SMPTE 292M-1998, for Television − Bit-Serial Digital Interface for High-Definition Television Systems
【発明の開示】
【発明が解決しようとする課題】
【０００９】
上述のように、ビットレートを規格に定められた１．４８５Ｇb/s とするＨＤ−ＳＤＩ信号の伝送にあっては、互いに異なる情報内容を有した複数チャンネルのＨＤ−ＳＤＩ信号を同時に伝送することが望まれることも少なくない。斯かる際には、伝送の効率化を図るべく、複数チャンネルのＨＤ−ＳＤＩ信号を、それらについての多重化処理がなされたものとして、共通の信号伝送路を通じて送受するようになすことが考えられる。しかしながら、従来にあっては、実際の信号処理回路系の周波数帯域限界の問題もあって、複数チャンネルのＨＤ−ＳＤＩ信号についての多重化処理を施したもとでの送受を実現することができる信号処理手法を用いた伝送システムは実用化されていない。また、複数チャンネルのＨＤ−ＳＤＩ信号をそれらについての多重化処理を施したもとで送受することができることになる信号処理手法、さらには、それを用いた伝送システムについて記述された文献等も見当たらない。
【００１０】
また、上述の次世代カメラ信号，ＨＤスーパーモーション信号，４ｋ×２ｋ信号等の夫々は、所謂、超広帯域映像信号に属するものであって、前述のように望まれるそのシリアル伝送を、従来の伝送技術手法に従って試みようとすると、ＨＤ−ＳＤＩ信号についてのシリアル伝送の場合に比して、極めて広い周波数帯域に亙る信号処理が要求されることになってしまう。それゆえ、従来にあっては、次世代カメラ信号，ＨＤスーパーモーション信号，４ｋ×２ｋ信号等の夫々についての実用に供することができるシリアル伝送を行える実際の伝送システム、あるいは、斯かる伝送システムについて記述された文献等は見当たらない。
【００１１】
さらに、上述のように、ビットレートを規格に定められた２７０Ｍb/s とするＳＤ信号の伝送にあっても、互いに異なる情報内容を有した多数チャンネルのＳＤ信号を同時に伝送すること、あるいは、複数チャンネルのＳＤ信号とＨＤ−ＳＤＩ信号とを混在させて同時に伝送することが望まれることも少なくない。斯かる際には、多数チャンネルのＳＤ信号、あるいは、複数チャンネルのＳＤ信号とＨＤ−ＳＤＩ信号とを、それらについての多重化処理がなされたものとして、共通の信号伝送路を通じて送受するようになすことが考えられる。しかしながら、従来にあっては、やはり実際の信号処理回路系の周波数帯域限界等の問題があって、多数チャンネルのＳＤ信号、あるいは、複数チャンネルのＳＤ信号とＨＤ−ＳＤＩ信号とについての多重化処理を施したもとでのシリアル伝送を、実用に供することができるものとして実現した伝送システム、あるいは、斯かる伝送システムについて記述された文献等は見当たらない。
【００１２】
斯かる点に鑑み、本願の特許請求の範囲に記載された発明は、規格化されたビットレートを有するＨＤ−ＳＤＩ信号についてその複数チャンネルをそれらについて多重化処理を施したもとで送受できることになる、複数チャンネルのＨＤ−ＳＤＩ信号のシリアル伝送を効率良く行え、また、次世代カメラ信号，ＨＤスーパーモーション信号，４ｋ×２ｋ信号等の夫々についてのシリアル伝送を、実用に供することができる形で実現でき、さらには、多数チャンネルのＳＤ信号、あるいは、複数チャンネルのＳＤ信号とＨＤ−ＳＤＩ信号とについての多重化処理を施したもとでのシリアル伝送を、実用に供することができるものとして実現できるデータ送信装置及びデータ受信装置を提供する。
【課題を解決するための手段】
【００１３】
本願の特許請求の範囲における請求項１から請求項１０までのいずれかに記載された発明に係るデータ送信装置は、各々が規格に定められたビットレートを有したビット列データを成すｎチャンネル（ｎは２以上の整数。以下において同じ。）の第１のシリアルディジタル映像信号が供給され、それらに基づく、各々が規格に定められたライン分データ構造を有したパラレルディジタル映像信号を成すｎチャンネルの第１のワード列データを得る複数のシリアル／パラレル変換（Ｓ／Ｐ変換）手段と、複数のＳ／Ｐ変換手段から得られるｎチャンネルの第１のワード列データが供給され、それらの各々に第１の所定ビット数ずつの８ビット／１０ビット変換（８Ｂ／１０Ｂ変換）処理を施して、各々が所定ワードビット数を有したｎチャンネルの第２のワード列データを形成する複数の８Ｂ／１０Ｂ変換手段と、複数の８Ｂ／１０Ｂ変換手段から得られるｎチャンネルの第２のワード列データを多重して多重ワード列データを形成するデータ多重手段と、データ多重手段から得られる多重ワード列データから第２の所定ビット数ずつを取り出して、各々が所定のビットレートを有したｍチャンネル（ｍはｎより大なる整数。以下において同じ。）のビット列データを形成する多チャンネルデータ形成手段と、多チャンネルデータ形成手段から得られるｍチャンネルのビット列データを多重するとともにパラレル・シリアル変換（Ｐ／Ｓ変換）を施して、データレートを１０Ｇb/s 以上とするビット列データを第２のシリアルディジタル映像信号として形成するデータ多重・Ｐ／Ｓ変換手段と、データ多重・Ｐ／Ｓ変換手段から得られるデータレートを１０Ｇb/s 以上とするビット列データを伝送すべく送出するデータ送出手段と、を備えて構成される。
【００１４】
特に、本願の特許請求の範囲における請求項６に記載された発明に係るデータ送信装置は、特定のフレームレート，量子化ビット数、及び、緑色，青色及び赤色原色信号データ系列の並列配置をもって構成されたワード列データを成す特定パラレルディジタル映像信号が供給され、それを、各々が規格に定められたビットレートを有したビット列データを成すｎチャンネルの第１のシリアルディジタル映像信号に変換して、それらを複数のＳ／Ｐ変換手段に供給する複数チャンネルシリアルディジタル映像信号形成手段が備えられるものとされる。
【００１５】
また、本願の特許請求の範囲における請求項７に記載された発明に係るデータ送信装置は、各々が第１のシリアルディジタル映像信号のビットレートより低い規格に定められたビットレートを有したビット列データを成すｐチャンネル（ｐは２以上の整数。以下において同じ。）の第３のシリアルディジタル映像信号が供給され、ｐチャンネルの第３のシリアルディジタル映像信号に基づく１チャンネルの第１のシリアルディジタル映像信号を形成するシリアルディジタル映像信号形成部がｎ個備えられ、ｎ個のシリアルディジタル映像信号形成部から夫々得られるｎチャンネルの第１のシリアルディジタル映像信号が複数のＳ／Ｐ変換手段に供給されるものとされる。
【００１６】
さらに、本願の特許請求の範囲における請求項８に記載された発明に係るデータ送信装置は、各々が第１のシリアルディジタル映像信号のビットレートより低い規格に定められたビットレートを有したビット列データを成すｐチャンネルの第３のシリアルディジタル映像信号が供給され、ｐチャンネルの第３のシリアルディジタル映像信号に基づく１チャンネルの第１のシリアルディジタル映像信号を形成するシリアルディジタル映像信号形成部がｑ個（ｑはｎより小なる整数。以下において同じ。）備えられ、ｑ個のシリアルディジタル映像信号形成部から夫々得られるｑチャンネルの第１のシリアルディジタル映像信号とｎ−ｑチャンネルの第１のシリアルディジタル映像信号とが、ｎチャンネルの第１のシリアルディジタル映像信号として複数のＳ／Ｐ変換手段に供給されるものとされる。
【００１７】
一方、本願の特許請求の範囲における請求項１１から請求項１９までのいずれかに記載された発明に係るデータ受信装置は、ビットレートを１０Ｇb/s 以上とするビット列データを第１のシリアルディジタル映像信号として受けるデータ受取手段と、データ受取手段から得られるビットレートを１０Ｇb/s 以上とするビット列データにＳ／Ｐ変換を施すとともに、各々が所定のビットレートを有したｍチャンネルのビット列データを形成するＳ／Ｐ変換・多チャンネルデータ形成手段と、Ｓ／Ｐ変換・多チャンネルデータ形成手段から得られるｍチャンネルのビット列データを多重して、多重ワード列データを形成するデータ多重手段と、データ多重手段から得られる多重ワード列データから、第１の所定ビットずつを取り出して、各々が所定ワードビット数を有したｎチャンネの第１のワード列データを得るデータ分離手段と、データ分離手段から得られるｎチャンネの第１のワード列データが供給され、それらの各々に第２の所定ビット数ずつの１０ビット／８ビット変換（８Ｂ／１０Ｂデコーディング変換）処理を施して、各々が規格に定められたライン分データ構造を有したパラレルディジタル映像信号とされるｎチャンネルの第２のワード列データを形成する複数の８Ｂ／１０Ｂデコーディング変換手段と、複数の８Ｂ／１０Ｂデコーディング変換手段から得られるｎチャンネルの第２のワード列データが供給され、それらに基づく、各々が規格に定められたビットレートを有したビット列データを成すｎチャンネルの第２のシリアルディジタル映像信号を得る複数のＰ／Ｓ変換手段と、を備えて構成される。
【００１８】
特に、本願の特許請求の範囲における請求項１５に記載された発明に係るデータ受信装置は、複数のＰ／Ｓ変換手段から得られる各々が規格に定められたビットレートを有したビット列データを成すｎチャンネルの第２のシリアルディジタル映像信号が供給され、それらを、特定のフレームレート，量子化ビット数、及び、緑色，青色及び赤色原色信号データ系列の並列配置をもって構成されたワード列データを成す特定パラレルディジタル映像信号に変換して送出する特定パラレルディジタル映像信号形成手段が備えられるものとされる。
【００１９】
また、本願の特許請求の範囲における請求項１６に記載された発明に係るデータ受信装置は、複数のＰ／Ｓ変換手段から得られる各々が規格に定められたビットレートを有したビット列データを成すｎチャンネルの第２のシリアルディジタル映像信号が夫々供給され、各々がｎチャンネルの第２のシリアルディジタル映像信号の一つをそのビットレートより低い規格に定められたビットレートを有したビット列データを成すｐチャンネルの第３のシリアルディジタル映像信号に変換して送出するｎ個のパラレルディジタル映像信号形成部が備えられるものとされる。
【００２０】
さらに、本願の特許請求の範囲における請求項１７に記載された発明に係るデータ受信装置は、複数のＰ／Ｓ変換手段から得られる各々が規格に定められたビットレートを有したビット列データを成すｎチャンネルの第２のシリアルディジタル映像信号のうちのｑ個が夫々供給され、各々がｎチャンネルの第２のシリアルディジタル映像信号の一つをそのビットレートより低い規格に定められたビットレートを有したビット列データを成すｐチャンネルの第３のシリアルディジタル映像信号に変換して送出するｑ個のパラレルディジタル映像信号形成部が備えられるものとされる。
【００２１】
上述のような本願の特許請求の範囲における請求項１から請求項１０までのいずれかに記載された発明に係るデータ送信装置にあっては、例えば、５チャンネルのＨＤ−ＳＤＩ信号とされる、各々が規格に定められたビットレート、例えば、１．４８５Ｇb/s のビットレートを有したビット列データを成すｎチャンネルの第１のシリアルディジタル映像信号が、複数のＳ／Ｐ変換手段により夫々にＳ／Ｐ変換が施されて、各々が規格に定められたライン分データ構造を有したパラレルディジタル映像信号を成すｎチャンネルの第１のワード列データに変換される。次に、ｎチャンネルの第１のワード列データの夫々に、第１の所定ビット数ずつ、例えば、４０ビットずつの８Ｂ／１０Ｂ変換が施されて、各々が所定の、例えば、５０ビットのワードビット数を有するものとされたｎチャンネルの第２のワード列データが形成され、その後、ｎチャンネルの第２のワード列データが多重されて、多重ワード列データが形成される。続いて、多重ワード列データから、第２の所定ビット数ずつ、例えば、２５０ビットずつが取り出されて、各々が所定ビットレート、例えば、６６８．２５Ｍｂ／ｓのビットレートを有するものとされたｍチャンネル、例えば、１６チャンネルのビット列データが形成され、さらに、これらのｍチャンネルのビット列データが多重されるとともにＰ／Ｓ変換されて、ビットレートを１０Ｇb/s 以上、例えば、１０．６９２Ｇb/s とするビット列データが、第２のシリアルディジタル映像信号として形成される。そして、このビットレートを１０Ｇb/s 以上、例えば、１０．６９２Ｇb/s とするビット列データが、伝送されるべく送出される。
【００２２】
特に、本願の特許請求の範囲における請求項６に記載された発明に係るデータ送信装置にあっては、例えば、次世代カメラ信号，ＨＤスーパーモーション信号もしくは４ｋ×２ｋ信号とされる、特定のフレームレート，量子化ビット数、及び、緑色，青色及び赤色原色信号データ系列の並列配置をもって構成されたワード列データを成す特定パラレルディジタル映像信号が、複数チャンネルシリアルディジタル映像信号形成手段によって、例えば、ｎチャンネルのＨＤ−ＳＤＩ信号とされる、各々が規格に定められたビットレートを有したビット列データを成すｎチャンネルの第１のシリアルディジタル映像信号に変換され、それらが複数のＳ／Ｐ変換手段に供給される。そして、複数のＳ／Ｐ変換手段に供給されたｎチャンネルの第１のシリアルディジタル映像信号は、ビットレートを１０Ｇb/s 以上、例えば、１０．６９２Ｇb/s とするビット列データを成す第２のシリアルディジタル映像信号とされて、伝送されるべく送出される。
【００２３】
また、本願の特許請求の範囲における請求項７に記載された発明に係るデータ送信装置にあっては、各々が、例えば、４チャンネルのＳＤ信号とされる、第１のシリアルディジタル映像信号のビットレートより低い規格に定められたビットレートを有したビット列データを成すｐチャンネルの第３のシリアルディジタル映像信号が、例えば、５個とされるｎ個のシリアルディジタル映像信号形成部の夫々に供給される。これらの、例えば、５個とされるｎ個のシリアルディジタル映像信号形成部の夫々においては、例えば、４チャンネルのＳＤ信号とされるｐチャンネルの第３のシリアルディジタル映像信号に基づく、１チャンネルの第１のシリアルディジタル映像信号が形成される。その結果、ｎ個のシリアルディジタル映像信号形成部から得られる、例えば、５チャンネルとされるｎチャンネルの第１のシリアルディジタル映像信号が複数のＳ／Ｐ変換手段に供給される。そして、複数のＳ／Ｐ変換手段に供給されたｎチャンネルの第１のシリアルディジタル映像信号は、ビットレートを１０Ｇb/s 以上、例えば、１０．６９２Ｇb/s とするビット列データを成す第２のシリアルディジタル映像信号とされて、伝送されるべく送出される。
【００２４】
さらに、本願の特許請求の範囲における請求項８に記載された発明に係るデータ送信装置にあっては、各々が、例えば、４チャンネルのＳＤ信号とされる、第１のシリアルディジタル映像信号のビットレートより低い規格に定められたビットレートを有したビット列データを成すｐチャンネルの第３のシリアルディジタル映像信号が、例えば、４個以下とされるｑ個のシリアルディジタル映像信号形成部の夫々に供給される。これらの、例えば、４個以下とされるｑ個のシリアルディジタル映像信号形成部の夫々においては、例えば、４チャンネルのＳＤ信号とされるｐチャンネルの第３のシリアルディジタル映像信号に基づく、１チャンネルの第１のシリアルディジタル映像信号が形成される。その結果、ｑ個のシリアルディジタル映像信号形成部から得られる、例えば、４チャンネル以下とされるｑチャンネルの第１のシリアルディジタル映像信号と、例えば、１チャンネル以上とされるｎ−ｑチャンネルの第１のシリアルディジタル映像信号とが、合計でｎチャンネルの第１のシリアルディジタル映像信号として複数のＳ／Ｐ変換手段に供給される。そして、複数のＳ／Ｐ変換手段に供給されたｎチャンネルの第１のシリアルディジタル映像信号は、ビットレートを１０Ｇb/s 以上、例えば、１０．６９２Ｇb/s とするビット列データを成す第２のシリアルディジタル映像信号とされて、伝送されるべく送出される。
【００２５】
一方、本願の特許請求の範囲における請求項１１から請求項１９までのいずれかに記載された発明に係るデータ受信装置にあっては、ビットレートを１０Ｇb/s 以上、例えば、１０．６９２Ｇｂ／ｓとするビット列データが第１のシリアルディジタル映像信号として受けられ、その、ビットレートを１０Ｇb/s 以上、例えば、１０．６９２Ｇｂ／ｓとするビット列データにＳ／Ｐ変換が施されて、各々が所定のビットレート、例えば、６６８．２５Ｍｂ／ｓのビットレートを有したｍチャンネルのビット列データが形成され、その後、ｍチャンネルのビット列データが多重されて、多重ワード列データが形成される。次に、多重ワード列データから、第１の所定ビットずつ、例えば、２５０ビットずつが取り出されて、各々が所定の、例えば、５０ビットのワードビット数を有したｎチャンネ、例えば、５チャンネルの第１のワード列データが形成される。そして、５チャンネルの第１のワード列データの各々に第２の所定ビット数ずつ、例えば、５０ビットずつの８Ｂ／１０Ｂデコーディング変換が施されて、各々が規格に定められたライン分データ構造を有したパラレルディジタル映像信号とされるｎチャンネルの第２のワード列データが形成される。続いて、ｎチャンネルの第２のワード列データが、複数のＰ／Ｓ変換手段により夫々にＰ／Ｓ変換が施され、それにより、例えば、５チャンネルのＨＤ−ＳＤＩ信号とされる、各々が規格に定められたビットレート、例えば、１．４８５Ｇｂ／ｓのビットレートを有するものとされたビット列データを成すｎチャンネルの第２のシリアルディジタル映像信号が得られる。
【００２６】
特に、本願の特許請求の範囲における請求項１５に記載された発明に係るデータ受信装置にあっては、複数のＰ／Ｓ変換手段から得られるｎチャンネルの第２のシリアルディジタル映像信号が、特定パラレルディジタル映像形成手段によって、例えば、次世代カメラ信号，ＨＤスーパーモーション信号もしくは４ｋ×２ｋ信号とされる、特定のフレームレート，量子化ビット数、及び、緑色，青色及び赤色原色信号データ系列の並列配置をもって構成されたワード列データを成す特定パラレルディジタル映像信号に変換されて、導出される。
【００２７】
また、本願の特許請求の範囲における請求項１６に記載された発明に係るデータ受信装置にあっては、複数のＰ／Ｓ変換手段から得られるｎチャンネルの第２のシリアルディジタル映像信号の各々が、ｎ個のパラレルディジタル映像信号形成部の夫々によって、例えば、４チャンネルのＳＤ信号とされる、各々が第２のシリアルディジタル映像信号のビットレートより低い規格に定められたビットレートを有したビット列データを成す、ｐチャンネルの第３のシリアルディジタル映像信号に変換され、ｎ×ｐチャンネルの第３のシリアルディジタル映像信号として送出される。
【００２８】
さらに、本願の特許請求の範囲における請求項１７に記載された発明に係るデータ受信装置にあっては、複数のＰ／Ｓ変換手段から得られるｎチャンネルの第２のシリアルディジタル映像信号のうちの、例えば、４個以下とされるｑ個の各々が、ｑ個のパラレルディジタル映像信号形成部の夫々によって、例えば、４チャンネルのＳＤ信号とされる、各々が第２のシリアルディジタル映像信号のビットレートより低い規格に定められたビットレートを有したビット列データを成す、ｐチャンネルの第３のシリアルディジタル映像信号に変換され，ｑ×ｐチャンネルの第３のシリアルディジタル映像信号として送出されるとともに、複数のＰ／Ｓ変換手段から得られるｎチャンネルの第２のシリアルディジタル映像信号のうちの、例えば、１個以上とされるｎ−ｑ個が、ｑ×ｐチャンネルの第３のシリアルディジタル映像信号とともに送出される。
【発明の効果】
【００２９】
上述の本願の特許請求の範囲における請求項１から請求項１０までのいずれかに記載された発明に係るデータ送信装置によれば、例えば、５チャンネルとされるｎチャンネルのＨＤ−ＳＤＩ信号を、各々が規格に定められたビットレートを有したビット列データを成すｎチャンネルの第１のシリアルディジタル映像信号として、それらに多重化処理を施した後、ビットレートを１０Ｇb/s 以上、例えば、１０．６９２Ｇb/s とするビット列データを成す第２のシリアルディジタル映像信号に変換し、それを伝送すべく送出することができる。従って、規格化された１．４８５Ｇｂ／ｓとされるビットレートを有するものとされるＨＤ−ＳＤＩ信号についての、その複数チャンネルに多重化処理を施したもとでのシリアル伝送を、効率良く行えることになる。
【００３０】
そして、本願の特許請求の範囲における請求項６に記載された発明に係るデータ送信装置によれば、次世代カメラ信号，ＨＤスーパーモーション信号もしくは４ｋ×２ｋ信号を、特定のフレームレート，量子化ビット数、及び、緑色，青色及び赤色原色信号データ系列の並列配置をもって構成されたワード列データを成す特定パラレルディジタル映像信号として、例えば、ｎチャンネルのＨＤ−ＳＤＩ信号とされる、各々が規格に定められたビットレートを有したビット列データを成すｎチャンネルの第１のシリアルディジタル映像信号に変換し、さらに、それらに多重化処理を施した後、ビットレートを１０Ｇb/s 以上、例えば、１０．６９２Ｇb/s とするビット列データを成す第２のシリアルディジタル映像信号に変換して、それを伝送すべく送出することができる。従って、次世代カメラ信号，ＨＤスーパーモーション信号，４ｋ×２ｋ信号等の夫々についてのシリアル伝送を、実用に供することができる形で実現できることになる。
【００３１】
また、本願の特許請求の範囲における請求項７に記載された発明に係るデータ送信装置によれば、例えば、２０チャンネルとされるｐ×ｎチャンネルのＳＤ信号を、例えば、４チャンネルとされるｐチャンネルずつ、例えば、５組とされるｎ組に分け、ｐチャンネルずつのＳＤ信号のｎ組をｎ個のシリアルディジタル映像信号形成部に夫々供給して、各シリアルディジタル映像信号形成部からｐチャンネルのＳＤ信号に基づく、例えば、ＨＤ−ＳＤＩ信号を得ることにより、ｐ×ｎチャンネルのＳＤ信号をｎチャンネルのＨＤ−ＳＤＩ信号とされるｎチャンネルの第１のシリアルディジタル映像信号に変換し、さらに、それらに多重化処理を施した後、ビットレートを１０Ｇb/s 以上、例えば、１０．６９２Ｇb/s とするビット列データを成す第２のシリアルディジタル映像信号に変換して、それを伝送すべく送出することができる。従って、多数チャンネルのＳＤ信号についての多重化処理を施したもとでのシリアル伝送を、実用に供することができるものとして実現できることになる。
【００３２】
さらに、本願の特許請求の範囲における請求項８に記載された発明に係るデータ送信装置によれば、例えば、１６チャンネル以下とされるｐ×ｑチャンネルのＳＤ信号を、例えば、４チャンネルとされるｐチャンネルずつ、例えば、４組以下とされるｑ組に分け、ｐチャンネルずつのＳＤ信号のｑ組を、ｑ個のシリアルディジタル映像信号形成部に夫々供給して、各シリアルディジタル映像信号形成部からｐチャンネルのＳＤ信号に基づく、例えば、ＨＤ−ＳＤＩ信号を得ることにより、ｐ×ｑチャンネルのＳＤ信号を、ｑチャンネルのＨＤ−ＳＤＩ信号とされる、ｑチャンネルの第１のシリアルディジタル映像信号に変換し、さらに、それらに、別途に用意した、例えば、１チャンネル以上とされるｎ−ｑチャンネルのＨＤ−ＳＤＩと共に多重化処理を施した後、ビットレートを１０Ｇb/s 以上、例えば、１０．６９２Ｇb/s とするビット列データを成す第２のシリアルディジタル映像信号に変換して、それを伝送すべく送出することができる。従って、複数チャンネルのＳＤ信号とＨＤ−ＳＤＩ信号とについての多重化処理を施したもとでのシリアル伝送を、実用に供することができるものとして実現できることになる。
【００３３】
一方、本願の特許請求の範囲における請求項１１から請求項１９までのいずれかに記載された発明に係るデータ受信装置によれば、ビットレートを１０Ｇb/s 以上、例えば、１０．６９２Ｇｂ／ｓとするビット列データを第１のシリアルディジタル映像信号として受け取り、そのビットレートを１０Ｇb/s 以上、例えば、１０．６９２Ｇｂ／ｓとするビット列データが、各々が規格に定められたビットレートを有したビット列データを成すｎチャンネルの第１のシリアルディジタル映像信号についての多重化処理がなされて形成されたものである場合には、受け取ったビットレートを１０Ｇb/s 以上、例えば、１０．６９２Ｇｂ／ｓとするビット列データから、例えば、５チャンネルとされるｎチャンネルのＨＤ−ＳＤＩ信号とされる、各々が規格に定められたビットレートを有したビット列データを成すｎチャンネルの第２のシリアルディジタル映像信号を再生することができる。従って、規格化された１．４８５Ｇｂ／ｓとされるビットレートを有するものとされるＨＤ−ＳＤＩ信号についての、その複数チャンネルを多重したもとでのシリアル伝送にあたり、その受信側装置を構成できることになる。  
【００３４】
そして、本願の特許請求の範囲における請求項１５に記載された発明に係るデータ受信装置によれば、ビットレートを１０Ｇb/s 以上、例えば、１０．６９２Ｇｂ／ｓとするビット列データを第１のシリアルディジタル映像信号として受け取り、そのビットレートを１０Ｇb/s 以上、例えば、１０．６９２Ｇｂ／ｓとするビット列データが、特定のフレームレート，量子化ビット数、及び、緑色，青色及び赤色原色信号データ系列の並列配置をもって構成されたワード列データを成す特定パラレルディジタル映像信号に基づいて形成されたものである場合には、受け取ったビットレートを１０Ｇb/s 以上、例えば、１０．６９２Ｇｂ／ｓとするビット列データから、例えば、次世代カメラ信号，ＨＤスーパーモーション信号，４ｋ×２ｋ信号等のいずれかとされる、特定のフレームレート，量子化ビット数、及び、緑色，青色及び赤色原色信号データ系列の並列配置をもって構成されたワード列データを成す特定パラレルディジタル映像信号を再生することができる。従って、次世代カメラ信号，ＨＤスーパーモーション信号，４ｋ×２ｋ信号等のいずれかについてのシリアル伝送にあたり、その受信側装置を構成できることになる。
【００３５】
また、本願の特許請求の範囲における請求項１６に記載された発明に係るデータ受信装置によれば、ビットレートを１０Ｇb/s 以上、例えば、１０．６９２Ｇｂ／ｓとするビット列データを第１のシリアルディジタル映像信号として受け取り、そのビットレートを１０Ｇb/s 以上、例えば、１０．６９２Ｇｂ／ｓとするビット列データが、各々が第２のシリアルディジタル映像信号のビットレートより低い規格に定められたビットレートを有したビット列データを成すｎ×ｐチャンネルの第３のシリアルディジタル映像信号に基づいて形成されたものである場合には、受け取ったビットレートを１０Ｇb/s 以上、例えば、１０．６９２Ｇｂ／ｓとするビット列データから、例えば、２０チャンネルのＳＤ信号とされる、各々が第２のシリアルディジタル映像信号のビットレートより低い規格に定められたビットレートを有したビット列データを成すｎ×ｐチャンネルの第３のシリアルディジタル映像信号を再生することができる。従って、多数チャンネルのＳＤ信号についてのそれらを多重したもとでのシリアル伝送にあたり、その受信側装置を構成できることになる。
【００３６】
さらに、本願の特許請求の範囲における請求項１７に記載された発明に係るデータ受信装置によれば、ビットレートを１０Ｇb/s 以上、例えば、１０．６９２Ｇｂ／ｓとするビット列データを第１のシリアルディジタル映像信号として受け取り、そのビットレートを１０Ｇb/s 以上、例えば、１０．６９２Ｇｂ／ｓとするビット列データが、各々が第２のシリアルディジタル映像信号のビットレートより低い規格に定められたビットレートを有したビット列データを成すｑ×ｐチャンネルの第３のシリアルディジタル映像信号及びｎ−ｑチャンネルの第２のシリアルディジタル映像信号に基づいて形成されたものである場合には、受け取ったビットレートを１０Ｇb/s 以上、例えば、１０．６９２Ｇｂ／ｓとするビット列データから、例えば、１６チャンネル以下のＳＤ信号及び１チャンネル以上のＨＤ−ＳＤＩ信号とされる、各々が第２のシリアルディジタル映像信号のビットレートより低い規格に定められたビットレートを有したビット列データを成すｑ×ｐチャンネルの第３のシリアルディジタル映像信号及びｎ−ｑチャンネルの第２のシリアルディジタル映像信号を再生することができる。従って、複数チャンネルのＳＤ信号とＨＤ−ＳＤＩ信号とについてのそれらを混在させて多重したもとでのシリアル伝送にあたり、その受信側装置を構成できることになる。
【発明を実施するための最良の形態】
【００３７】
本願の特許請求の範囲に記載された発明を実施するための最良の形態は、以下に述べられる実施例をもって説明される。
【実施例１】
【００３８】
図１は、本願の特許請求の範囲における請求項１から請求項５までのいずれかに記載された発明に係るデータ送信装置の一例（実施例１）を示す。
【００３９】
図１に示される例、即ち、実施例１にあっては、各々がビットレートを規格化された１．４８５Ｇb/s とするｎチャンネルのＨＤ−ＳＤＩ信号ＤＨＳ１，ＤＨＳ２，・・・・・，ＤＨＳｎが、各々が規格に定められたビットレートを有するビット列データを成すものとされたｎチャンネルのシリアルディジタル映像信号として、パラレルデータ形成部１１に供給される。ｎチャンネルのＨＤ−ＳＤＩ信号ＤＨＳ１，ＤＨＳ２，・・・・・，ＤＨＳｎの夫々は、例えば、フレームレートを３０Ｈｚ，２５Ｈｚもしくは２４Ｈｚとし、各フレームにおける有効ライン数及び各ラインにおける有効ワード数を１０８０ライン及び１９２０ワードとし、ワードビット数（量子化ビット数）を１０ビットとし、データ形式をＹ，ＣB ／ＣR 形式とするものとされるＨＤ信号がシリアル化されて得られるものとされる。そして、ｎチャンネルは、例えば、５チャンネルもしくは６チャンネルとされて、５チャンネルのＨＤ−ＳＤＩ信号ＤＨＳ１〜ＤＨＳ５がパラレルデータ形成部１１に供給される状態が動作モード１とされ、６チャンネルのＨＤ−ＳＤＩ信号ＤＨＳ１〜ＤＨＳ６がパラレルデータ形成部１１に供給される状態が動作モード２とされる。
【００４０】
パラレルデータ形成部１１は、図２に示されるように、ＨＤ−ＳＤＩ信号ＤＨＳ１に対するデータ処理部ＰＤ１，ＨＤ−ＳＤＩ信号ＤＨＳ２に対するデータ処理部ＰＤ２，・・・・・，ＨＤ−ＳＤＩ信号ＤＨＳｎに対するデータ処理部ＰＤｎを内蔵している。
【００４１】
データ処理部ＰＤ１においては、それに供給されるＨＤ−ＳＤＩ信号ＤＨＳ１が、Ｓ／Ｐ変換部１２においてＳ／Ｐ変換を施され、例えば、図３に示されるような、ライン分データ構造を有したパラレルディジタル映像信号であるＨＤ信号を成すワード列データＤｈ１に変換される。図３に示されるライン分データ構造は、映像信号における輝度信号情報をあらわす映像データ部とラインブランキング部とを含んだＹデータ系列と、映像信号における色差信号情報をあらわす映像データ部とラインブランキング部とを含んだＣB ／ＣR データ系列とから成る。Ｙデータ系列及びＣB ／ＣR データ系列の夫々は、それを構成する各ワードデータのビット数であるワードビット数を１０ビットとしており、Ｙデータ系列とＣB ／ＣR データ系列とは、互いに同期がとられたもとで並列配置されているので、全体として２０ビットワード列データを形成している。また、ワードレートは、７４．２５ＭB/s もしくは７４．２５／１．００１ＭB/s （本願においては、これらのいずれをも７４．２５ＭB/s という。）とされる。
【００４２】
Ｙデータ系列及びＣB ／ＣR データ系列の夫々の各ラインブランキング部には、各映像データ部の直前に位置することになる、４ワードから成るタイミング基準コードデータＳＡＶ（Start of Active Video)が配されるとともに、各映像データ部の直後に位置することになる、４ワードから成るタイミング基準コードデータＥＡＶ（End of Active Video)が配される。タイミング基準コードデータＳＡＶ及びＥＡＶの夫々を成す４ワードは、１６進表現で３ＦＦ，０００，０００，ＸＹＺとして表されるものとされる。３ＦＦ及び０００の夫々は、映像データ部におけるワードとしては用いられない“禁止コード”であって、３ＦＦ，０００，０００，ＸＹＺの組合せは、映像データ部には現れない。
【００４３】
また、Ｙデータ系列及びＣB ／ＣR データ系列の夫々の各ラインブランキング部におけるタイミング基準コードデータＳＡＶとタイミング基準コードデータＥＡＶとの間には、補助データがその他のデータに加えて配される。そして、Ｙデータ系列の各ラインブランキング部に配される補助データは、当該ＨＤ信号の映像データについての情報をあらわす、４ワード構成の識別データ:Payload ID を適宜含むものとされる。
【００４４】
なお、図３に示されるライン分データ構造は、フレームレートを３０Ｈｚとする場合のものである。それゆえ、Ｙデータ系列及びＣB ／ＣR データ系列の夫々において、１ライン期間分が２２００ワードで構成され、それにおけるラインブランキング部が２８０ワードで構成されるとともに、映像データ部が１９２０ワードで構成されている。
【００４５】
Ｓ／Ｐ変換部１２から得られるワード列データＤｈ１は、ビット・ワード同期設定部１３に供給される。ビット・ワード同期設定部１３においては、ワード列データＤｈ１に含まれるタイミング基準コードデータＳＡＶ及びＥＡＶの検出が行われ、それらの検出結果に基づいてビット同期及びワード同期が確立され、さらに、ワード列データＤｈ１についてのフレームレートの検出も行われる。
【００４６】
ビット・ワード同期設定部１３を経たワード列データＤｈ１は、ＦＩＦＯメモリ部１４に、周波数を７４．２５ＭＨｚとする書込クロック信号ＱＷ１をもって２０ビットずつ書き込まれる。そして、ＦＩＦＯメモリ部１４に書き込まれたワード列データＤｈ１は、周波数を７４．２５／２ＭＨｚ＝３７．１２５ＭＨｚとする読出クロック信号ＱＲ１をもって４０ビットずつ読み出され、ワード列データＤｄ１として、Ｋ２８．５・Ｐ．ＩＤ挿入部１５に供給される。
【００４７】
Ｋ２８．５・Ｐ．ＩＤ挿入部１５においては、図４に示されるように、ワード列データＤｄ１の各ラインブランキング部におけるタイミング基準コードデータＳＡＶあるいはＥＡＶを形成する８ワード（３ＦＦ（Ｃ），３ＦＦ（Ｙ），０００（Ｃ），０００（Ｙ），０００（Ｃ），０００（Ｙ），ＸＹＺ（Ｃ），ＸＹＺ（Ｙ）：（Ｙ）はＹデータ系列中のワードであることをあらわし、（Ｃ）はＣB ／ＣR データ系列中のワードであることをあらわす。）のうちの４ワード（３ＦＦ（Ｃ），３ＦＦ（Ｙ），０００（Ｃ），０００（Ｙ））である合計４０ビットを、２個の８ビットワードデータＤＫと３個の８ビットワードデータＤＰとによって置き換えることにより、ワード列データＤｄ１に８ビットワードデータＤＫ及びＤＰを挿入する、データ挿入処理が行われる。
【００４８】
２個の８ビットワードデータＤＫは、各々が、それに８Ｂ／１０Ｂ変換処理が施されるとき、“Ｋ２８．５”というコードネームで呼ばれる、映像信号情報をあらわすワードデータとしては用いられない１０ビットワードデータに変換されるもの（８ビットワードデータ：ＨＧＦＥＤＣＢＡ＝１０１１１１００）である。また、３個の８ビットワードデータＤＰは、それらに８Ｂ／１０Ｂ変換処理が施されるとき、ワード列データＤｈ１に補助データとして含まれる識別データ:Payload ID を構成する４ワードのうちの一番目から三番目までの３ワードに相当する３個の１０ビットワードデータであって、識別データ:Payload ID として機能するデータに変換されるものである。
【００４９】
Ｋ２８．５・Ｐ．ＩＤ挿入部１５からは、２個の８ビットワードデータＤＫと３個の８ビットワードデータＤＰとについての挿入処理が施されたワード列データＤｄ１が、４０ビットずつ送出され、８Ｂ／１０Ｂ変換部１６に供給される。８Ｂ／１０Ｂ変換部１６においては、ワード列データＤｄ１について、その４０ビットが順次５０ビットに変換されていく８Ｂ／１０Ｂ変換が行われ、ワード列データＤｅ１が形成される。そして、８Ｂ／１０Ｂ変換部１６からは、ワード列データＤｅ１が５０ビットずつ送出され、それがデータ処理部ＰＤ１からの出力データとされる。
【００５０】
また、データ処理部ＰＤ２においては、それに供給されるＨＤ−ＳＤＩ信号ＤＨＳ２が、Ｓ／Ｐ変換部１７においてＳ／Ｐ変換を施され、例えば、前述の図３に示されるようなライン分データ構造を有したパラレルディジタル映像信号であるＨＤ信号を成すワード列データＤｈ２に変換される。Ｓ／Ｐ変換部１７から得られるワード列データＤｈ２は、ビット・ワード同期設定部１８に供給される。ビット・ワード同期設定部１８においては、ワード列データＤｈ２に含まれるタイミング基準コードデータＳＡＶ及びＥＡＶの検出が行われ、それらの検出結果に基づいてビット同期及びワード同期が確立される。
【００５１】
ビット・ワード同期設定部１８を経たワード列データＤｈ２は、ＦＩＦＯメモリ部１９に、周波数を７４．２５ＭＨｚとする書込クロック信号ＱＷ１をもって２０ビットずつ書き込まれる。そして、ＦＩＦＯメモリ部１９に書き込まれたワード列データＤｈ２は、周波数を７４．２５／２ＭＨｚ＝３７．１２５ＭＨｚとする読出クロック信号ＱＲ１をもって４０ビットずつ読み出され、ワード列データＤｄ２として８Ｂ／１０Ｂ変換部２０に供給される。８Ｂ／１０Ｂ変換部２０においては、ワード列データＤｄ２についての、その４０ビットが順次５０ビットに変換されていく８Ｂ／１０Ｂ変換が行われ、ワード列データＤｅ２が形成される。そして、８Ｂ／１０Ｂ変換部２０からは、ワード列データＤｅ２が５０ビットずつ送出され、それがデータ処理部ＰＤ２からの出力データとされる。
【００５２】
データ処理部ＰＤ３〜ＰＤｎの夫々もデータ処理部ＰＤ２と同様であり、データ処理部ＰＤ３〜ＰＤｎにおいては、それらに夫々供給されるＨＤ−ＳＤＩ信号ＤＨＳ３〜ＤＨＳｎに対しての、データ処理部ＰＤ２におけるそれに供給されるＨＤ−ＳＤＩ信号ＤＨＳ２に対して行われる処理と同様な処理が行われ、データ処理部ＰＤ３〜ＰＤｎから、出力データとして、各々が５０ビットずつ送出されるものとされるワード列データＤｅ３〜Ｄｅｎが得られる。
【００５３】
このようなもとで、データ処理部ＰＤ１〜ＰＤｎに夫々供給されるＨＤ−ＳＤＩ信号ＤＨＳ１〜ＤＨＳｎが、少なくとも二つのフレームレートを互いに異にするＨＤ信号を含んだｎチャンネルのＨＤ信号に夫々基づくものである場合には、データ処理部ＰＤ１〜ＰＤｎにおいて夫々形成されるワード列データＤｈ１〜Ｄｈｎの各々は，データ処理部ＰＤ１において形成されるワード列データＤｈ１を基準としたライン分データ構造を有するものとされる。即ち、ワード列データＤｈ２〜Ｄｈｎの夫々が、ワード列データＤｈ１のライン分データ構造に倣ったライン分データ構造をとるものとされるのである。
【００５４】
例えば、データ処理部ＰＤ１に供給されるＨＤ−ＳＤＩ信号ＤＨＳ１が、フレームレートを３０ＨｚとするＨＤ信号に基づくものであり、データ処理部ＰＤ２に供給されるＨＤ−ＳＤＩ信号ＤＨＳ２が、フレームレートを２４ＨｚとするＨＤ信号に基づくものである場合、データ処理部ＰＤ１において形成されるワード列データＤｈ１は、前述のように図３に示されるライン分データ構造を有するものとされて、図５のＡに示されるように、１ライン期間分が、ＨＤ−ＳＤＩ信号ＤＨＳ１の元のＨＤ信号の１ライン期間分に合わせた、２２００ワードで構成されたものとされ、それとともに、データ処理部ＰＤ２において形成されるワード列データＤｈ２も、データ処理部ＰＤ１において形成されるワード列データＤｈ１に倣って、１ライン期間分が２２００ワードで構成されるライン分データ構造をとるものとされる。
【００５５】
斯かる際、フレームレートを３０ＨｚとするＨＤ信号の１ライン期間分が２２００ワードで構成されるのに対して、フレームレートを２４ＨｚとするＨＤ信号の１ライン期間分は２７５０ワードで構成される。従って、上述のように、データ処理部ＰＤ２において形成されるワード列データＤｈ２が、データ処理部ＰＤ１において形成されるワード列データＤｈ１に倣い、１ライン期間分が２２００ワードで構成されるライン分データ構造をとるものとされると、その１ライン期間分に、データ処理部ＰＤ２に供給されるＨＤ−ＳＤＩ信号ＤＨＳ２の元となった、フレームレートを２４ＨｚとするＨＤ信号の１ライン期間分（２７５０ワード）が収まりきれないことになる。そこで、このときデータ処理部ＰＤ２において形成されるワード列データＤｈ２は、図５のＢに示されるように、データ処理部ＰＤ２に供給されるＨＤ−ＳＤＩ信号ＤＨＳ２の元となったＨＤ信号の４ライン期間分（４×２７５０＝１１０００ワード）を、５ライン期間分（５×２２００＝１１０００ワード）に納めるものとされる。
【００５６】
パラレルデータ形成部１１に内蔵されたデータ処理部ＰＤ１〜ＰＤｎから出力データとして夫々得られるワード列データＤｅ１〜Ｄｅｎは、パラレルデータ形成部１１からｎチャンネルのワード列データとして送出される。斯かる際、パラレルデータ形成部１１に設けられたモード切換制御部２１は、データ処理部ＰＤ１〜ＰＤｎにおいて形成されるワード列データＤｈ１〜Ｄｈｎに含まれる識別データ：Payload IDを検出して、そのときの動作モード、例えば、５チャンネルのＨＤ−ＳＤＩ信号ＤＨＳ１〜ＤＨＳ５がパラレルデータ形成部１１に供給される動作モード１、もしくは、６チャンネルのＨＤ−ＳＤＩ信号ＤＨＳ１〜ＤＨＳ６がパラレルデータ形成部１１に供給される動作モード２を検知し、図１に示される例の全体に、検知された動作モードに対応したデータ処理モードをとらせるためのモード切換制御信号ＣＭＴを送出する。その結果、図１に示される例が、その全体に亙って、その時の動作モードに適合するデータ処理モードをとるものとされる。
【００５７】
パラレルデータ形成部１１から得られるｎチャンネルのワード列データＤｅ１〜Ｄｅｎは、データ多重部２２に供給される。データ多重部２２においては、ワード列データＤｅ１〜Ｄｅｎを、各々の間における同期をとったもとで、ワード多重の手法をもって多重することによって、多重ワード列データＤｍを形成する。
【００５８】
データ多重部２２において形成される多重ワード列データＤｍは、例えば、そのライン分データ構成が、ワード列データＤｅ１〜Ｄｅｎの夫々におけるラインブランキング部が多重化されて得られるラインブランキング部とワード列データＤｅ１〜Ｄｅｎの夫々における映像データ部が多重化されて得られる映像データ部とを含んで構成される、１０ビットワード列データとされる。そして、斯かる１０ビットワード列データとされる多重ワード列データＤｍのラインブランキング部における多重化されたタイミング基準コードデータＳＡＶあるいはＥＡＶの冒頭には、パラレルデータ形成部１１に内蔵されたデータ処理部ＰＤ１においてワード列データＤｄ１に置換挿入された、２個の８ビットワードデータＤＫと３個の８ビットワードデータＤＰとに基づく、２バイトのＫ２８．５と３バイトの識別データ：Payload IDとが配されている。
【００５９】
データ多重部２２から得られる多重ワード列データＤｍは、その５０×ｎビットずつが、メモリ部２３に、周波数を７４．２５／２ＭＨｚ＝３７．１２５ＭＨｚとする書込クロック信号ＱＷ２をもって書き込まれる。そして、メモリ部２３に書き込まれた多重ワード列データＤｍは、メモリ部２３から、周波数を８３．５３１２５／２ＭＨｚ≒４１．７６６ＭＨｚとする読出クロック信号ＱＲ２をもって、５０×ｎビットずつ読み出され、ワード列データＤｏとして、データ長変換部２４に供給される。
【００６０】
データ長変換部２４においては、ワード列データＤｏに、その５０×ｎビットを順次２５６ビットに変更するデータ長変換処理が施されて、ワード列データＤｐが形成される。このとき、ワード列データＤｐは、必要に応じて、例えば、速度調整用とされる付加データが付加されるものとされ、付加データが付加されるときには、その付加データは、その冒頭部に２バイトの“Ｋ２８．３”というコードネームで呼ばれる、映像信号情報をあらわすワードデータとしては用いられない１０ビットワードデータを含むものとされる。
【００６１】
このようなワード列データＤｐは、パラレルデータ形成部１１に５チャンネルのＨＤ−ＳＤＩ信号ＤＨＳ１〜ＤＨＳ５が供給されるもとにあっては、例えば、ＨＤ−ＳＤＩ信号ＤＨＳ１〜ＤＨＳ５の夫々がフレームレートを３０Ｈｚとするときには、図６のＡに示されるライン分データ構造を有し、ＨＤ−ＳＤＩ信号ＤＨＳ１〜ＤＨＳ５の夫々がフレームレートを２５Ｈｚとするときには、図６のＢに示されるライン分データ構造を有し、さらに、ＨＤ−ＳＤＩ信号ＤＨＳ１〜ＤＨＳ５の夫々がフレームレートを２４Ｈｚとするときには、図６のＣに示されるライン分データ構造を有するものとされる。これらの図６のＡ，Ｂ及びＣの夫々に示されるライン分データ構造は、付加データが配された付加データ部を映像データ部に続くものとして備えており、付加データ部の先頭には２バイトの“Ｋ２８．３”が挿入されている。
【００６２】
また、ワード列データＤｐは、パラレルデータ形成部１１に６チャンネルのＨＤ−ＳＤＩ信号ＤＨＳ１〜ＤＨＳ６が供給されるもとにあっては、例えば、ＨＤ−ＳＤＩ信号ＤＨＳ１〜ＤＨＳ６の夫々がフレームレートを３０Ｈｚとするときには、図７のＡに示されるライン分データ構造を有し、ＨＤ−ＳＤＩ信号ＤＨＳ１〜ＤＨＳ６の夫々がフレームレートを２５Ｈｚとするときには、図７のＢに示されるライン分データ構造を有し、さらに、ＨＤ−ＳＤＩ信号ＤＨＳ１〜ＤＨＳ６の夫々がフレームレートを２４Ｈｚとするときには、図７のＣに示されるライン分データ構造を有するものとされる。これらの図７のＡ，Ｂ及びＣの夫々に示されるライン分データ構造には、付加データが配された付加データ部は設けられていない。
【００６３】
データ長変換部２４から得られるワード列データＤｐは、その２５６ビットずつが、メモリ部２５に、周波数を８３．５３１２５／２ＭＨｚ≒４１．７６６ＭＨｚとする書込クロック信号ＱＷ３をもって書き込まれる。そして、メモリ部２５に書き込まれたワード列データＤｐは、メモリ部２５から、周波数を８３．５３１２５×２ＭＨｚ＝１６７．０６２５ＭＨｚとする読出クロック信号ＱＲ３をもって、６４ビットずつ読み出され、ワード列データＤｑとして、多チャンネルデータ形成部２６に供給される。
【００６４】
多チャンネルデータ形成部２６にあっては、１／１６７．０６２５ＭＨｚの周期をもって６４ビットずつ供給されるワード列データＤｑに基づき、各々がビットレートを６６８．２５Ｍb/s とするｍチャンネル、例えば、１６チャンネルのビット列データＤＳＸを形成する。それにより、多チャンネルデータ形成部２６から得られる１６チャンネルのビット列データＤＳＸは、データ多重・Ｐ／Ｓ変換部２７に供給される。
【００６５】
データ多重・Ｐ／Ｓ変換部２７にあっては、１６チャンネルのビット列データＤＳＸを多重するとともに、それにより得られるパラレルデータにＰ／Ｓ変換を施して、ビットレートを１０Ｇb/s 以上、例えば、６６８．２５Ｍb/s ×１６＝１０．６９２Ｇb/s とするビット列データＤＴＧを形成する。このようにしてデータ多重・Ｐ／Ｓ変換部２７から得られるビット列データＤＴＧは、パラレルデータ形成部１１に供給されたｎチャンネルのＨＤ−ＳＤＩ信号ＤＨＳ１〜ＤＨＳｎに基づいて形成されたものであるので、ビットレートを１０Ｇb/s 以上、例えば、１０．６９２Ｇb/s とするビット列データを形成するシリアルディジタル映像信号であることになる。
【００６６】
そして、データ多重・Ｐ／Ｓ変換部２７から得られるビット列データＤＴＧは、データ送出部を形成する電光変換部２８に供給される。電光変換部２８は、ビット列データＤＴＧを光信号ＤＬに変換し、その光信号ＤＬを、オプティカル・ファイバー等によって形成される光信号伝送ケーブル２９を通じて伝送すべく送出する。
【００６７】
上述のようにして、図１に示される本願の特許請求の範囲における請求項１から請求項５までのいずれかに記載された発明に係るデータ送信装置の一例である実施例１にあっては、例えば、５チャンネルもしくは６チャンネルとされるｎチャンネルのＨＤ−ＳＤＩ信号ＤＨＳ１〜ＤＨＳｎを、それらに多重化処理を施した後、ビットレートを１０Ｇb/s 以上、例えば、１０．６９２Ｇb/s とするビット列データＤＴＧに変換し、それを伝送すべく送出することができる。従って、規格化された１．４８５Ｇｂ／ｓとされるビットレートを有するものとされるＨＤ−ＳＤＩ信号についての、その複数チャンネルに多重化処理を施したもとでのシリアル伝送を、効率良く行えることになる。
【実施例２】
【００６８】
図８は、本願の特許請求の範囲における請求項６に記載された発明に係るデータ送信装置の一例（実施例２）を示す。
【００６９】
図８に示される例、即ち、実施例２にあっては、図１に示されるパラレルデータ形成部１１と同様のものとされるパラレルデータ形成部１１の入力端側に、複数チャンネルシリアルディジタル映像信号形成部３０を備えている。複数チャンネルシリアルディジタル映像信号形成部３０には、次世代カメラ信号，ＨＤスーパーモーション信号，４ｋ×２ｋ信号等のいずれかとされる、特定のフレームレート，量子化ビット数、及び、緑色，青色及び赤色原色信号データ系列の並列配置をもって構成されたワード列データを成す特定パラレルディジタル映像信号ＤＳＶが供給される。
【００７０】
複数チャンネルシリアルディジタル映像信号形成部３０においては、次世代カメラ信号，ＨＤスーパーモーション信号，４ｋ×２ｋ信号等のいずれかとされる特定パラレルディジタル映像信号ＤＳＶが、各々が規格化された１．４８５Ｇｂ／ｓとされるビットレートを有するものとされるｎチャンネルのＨＤ−ＳＤＩ信号ＤＨＳ１〜ＤＨＳｎに変換される。例えば、特定パラレルディジタル映像信号ＤＳＶがＨＤスーパーモーション信号である場合には、ビット不足を補う補足ビットが付加されるもとで、６チャンネルのＨＤ−ＳＤＩ信号ＤＨＳ１〜ＤＨＳ６に変換され、また、４ｋ×２ｋ信号の場合には、ビット不足を補う補足ビットが付加されるもとで、８チャンネルのＨＤ−ＳＤＩ信号ＤＨＳ１〜ＤＨＳ８に変換される。
【００７１】
このようにして、複数チャンネルシリアルディジタル映像信号形成部３０から得られる、次世代カメラ信号，ＨＤスーパーモーション信号，４ｋ×２ｋ信号等のいずれかとされる特定パラレルディジタル映像信号ＤＳＶに基づくｎチャンネルのＨＤ−ＳＤＩ信号ＤＨＳ１〜ＤＨＳｎが、パラレルデータ形成部１１に供給される。これらのｎチャンネルのＨＤ−ＳＤＩ信号ＤＨＳ１，ＤＨＳ２，・・・・・，ＤＨＳｎの夫々も、例えば、フレームレートを３０Ｈｚ，２５Ｈｚもしくは２４Ｈｚとし、各フレームにおける有効ライン数及び各ラインにおける有効ワード数を１０８０ライン及び１９２０ワードとし、ワードビット数（量子化ビット数）を１０ビットとし、データ形式をＹ，ＣB ／ＣR 形式とするものとされるＨＤ信号がシリアル化されて得られるものと同等のものとされる。そして、例えば、次世代カメラ信号に基づくｎチャンネルのＨＤ−ＳＤＩ信号ＤＨＳ１〜ＤＨＳｎがパラレルデータ形成部１１に供給される状態が動作モード３とされ、ＨＤスーパーモーション信号に基づくｎチャンネルのＨＤ−ＳＤＩ信号ＤＨＳ１〜ＤＨＳｎがパラレルデータ形成部１１に供給される状態が動作モード４とされ、さらに、４ｋ×２ｋ信号に基づくｎチャンネルのＨＤ−ＳＤＩ信号ＤＨＳ１〜ＤＨＳｎがパラレルデータ形成部１１に供給される状態が動作モード５とされる。
【００７２】
図８に示されるパラレルデータ形成部１１も、図１に示されるパラレルデータ形成部１１と同様に、図２に示されるような、ＨＤ−ＳＤＩ信号ＤＨＳ１に対するデータ処理部ＰＤ１，ＨＤ−ＳＤＩ信号ＤＨＳ２に対するデータ処理部ＰＤ２，・・・・・，ＨＤ−ＳＤＩ信号ＤＨＳｎに対するデータ処理部ＰＤｎを内蔵している。また、パラレルデータ形成部１１に設けられたモード切換制御部２１は、データ処理部ＰＤ１〜ＰＤｎにおいて形成されるワード列データＤｈ１〜Ｄｈｎに含まれる識別データ：Payload IDを検出して、そのときの動作モード、例えば、次世代カメラ信号に基づくｎチャンネルのＨＤ−ＳＤＩ信号ＤＨＳ１〜ＤＨＳｎがパラレルデータ形成部１１に供給される動作モード３，ＨＤスーパーモーション信号に基づくｎチャンネルのＨＤ−ＳＤＩ信号ＤＨＳ１〜ＤＨＳｎがパラレルデータ形成部１１に供給される動作モード４、もしくは、４ｋ×２ｋ信号に基づくｎチャンネルのＨＤ−ＳＤＩ信号ＤＨＳ１〜ＤＨＳｎがパラレルデータ形成部１１に供給される動作モード５を検知し、図８に示される例の全体に、検知された動作モードに対応したデータ処理モードをとらせるためのモード切換制御信号ＣＭＴを送出する。その結果、図８に示される例が、その全体に亙って、その時の動作モードに適合するデータ処理モードをとるものとされる。
【００７３】
図８に示される実施例２におけるその他の部分は、図１に示される実施例１における対応する部分と同様であるので、図８における図１に示されるブロック及び信号もしくはデータに対応するブロック及び信号もしくはデータを、図１と共通の符号を付してあらわし、重複説明を省略する。
【００７４】
このような、図８に示される本願の特許請求の範囲における請求項６に記載された発明に係るデータ送信装置の一例である実施例２にあっては、次世代カメラ信号，ＨＤスーパーモーション信号，４ｋ×２ｋ信号等のいずれかとされる特定パラレルディジタル映像信号ＤＳＶに基づくｎチャンネルのＨＤ−ＳＤＩ信号ＤＨＳ１〜ＤＨＳｎを、それらに多重化処理を施した後、ビットレートを１０Ｇb/s 以上、例えば、１０．６９２Ｇb/s とするビット列データＤＴＧに変換し、それを伝送すべく送出することができる。従って、次世代カメラ信号，ＨＤスーパーモーション信号，４ｋ×２ｋ信号等の夫々についてのシリアル伝送を、実用に供することができる形で実現できることになる。
【実施例３】
【００７５】
図９は、本願の特許請求の範囲における請求項７に記載された発明に係るデータ送信装置の一例（実施例３）を示す。
【００７６】
図９に示される例、即ち、実施例３にあっては、図１に示されるパラレルデータ形成部１１と同様のものとされるパラレルデータ形成部１１の入力端側に、例えば、５個もしくは６個とされるｎ個のシリアルディジタル映像信号形成部６０-1，６０-2，・・・，６０-nを備えている。シリアルディジタル映像信号形成部６０-1には、各々がビットレートを規格化された２７０Ｍb/s とする、例えば、４チャンネルとされるｐチャンネルのＳＤ信号ＤＳＤ11〜ＤＳＤ1pが、各々が規格化された１．４８５Ｇｂ／ｓとされるビットレートを有するものとされるＨＤ−ＳＤＩ信号のビットレートより低い規格に定められたビットレートを有したビット列データを成すｐチャンネルのシリアルディジタル映像信号として供給される。同様に、シリアルディジタル映像信号形成部６０-2には、各々がビットレートを規格化された２７０Ｍb/s とする、例えば、４チャンネルとされるｐチャンネルのＳＤ信号ＤＳＤ21〜ＤＳＤ2pが、各々がＨＤ−ＳＤＩ信号のビットレートより低い規格に定められたビットレートを有したビット列データを成すｐチャンネルのシリアルディジタル映像信号として供給され、・・・・・、シリアルディジタル映像信号形成部６０-nには、各々がビットレートを規格化された２７０Ｍb/s とする、例えば、４チャンネルとされるｐチャンネルのＳＤ信号ＤＳＤn1〜ＤＳＤnpが、各々がＨＤ−ＳＤＩ信号のビットレートより低い規格に定められたビットレートを有したビット列データを成すｐチャンネルのシリアルディジタル映像信号として供給される。
【００７７】
このようにして、ｎ個のシリアルディジタル映像信号形成部６０-1，６０-2，・・・，６０-nには、例えば、２０チャンネルもしくは２４チャンネルとされるｐ×ｎチャンネルのＳＤ信号ＤＳＤ11〜ＤＳＤ1p，ＤＳＤ21〜ＤＳＤ2p，・・・・・，ＤＳＤn1〜ＤＳＤnpが供給される。これらのＳＤ信号ＤＳＤ11〜ＤＳＤ1p，ＤＳＤ21〜ＤＳＤ2p，・・・・・，ＤＳＤn1〜ＤＳＤnpの夫々は、例えば、フレームレートを３０Ｈｚあるいは２５Ｈｚとし、各フレームにおけるライン数を５２５ラインあるいは６２５ラインとし、ワードビット数（量子化ビット数）を１０ビットとし、Ｙデータ系列とＣB ／ＣR データ系列とにワード多重処理が施されて構成されたＤ１信号がシリアル化されて得られるものとされる。
【００７８】
そして、シリアルディジタル映像信号形成部６０-1は、ｐチャンネルのＳＤ信号ＤＳＤ11〜ＤＳＤ1pに、例えば、ＳＭＰＴＥによって制定された規格である SMPTE 349M 、即ち、SMPTE STANDARD  SMPTE 349M-2001, for Television − Transport of Alternate Souce Image Formats through SMPTE 292M  に準拠した多重処理を施して、ｐチャンネルのＳＤ信号ＤＳＤ11〜ＤＳＤ1pに基づく１チャンネルのＨＤ−ＳＤＩ信号ＤＨＳ１を形成する。同様に、シリアルディジタル映像信号形成部６０-2は、ｐチャンネルのＳＤ信号ＤＳＤ21〜ＤＳＤ2pに、例えば、ＳＭＰＴＥによって制定された規格である SMPTE 349M に準拠した多重処理を施して、ｐチャンネルのＳＤ信号ＤＳＤ21〜ＤＳＤ2pに基づく１チャンネルのＨＤ−ＳＤＩ信号ＤＨＳ２を形成し、・・・・・、シリアルディジタル映像信号形成部６０-nは、ｐチャンネルのＳＤ信号ＤＳＤn1〜ＤＳＤnpに、例えば、ＳＭＰＴＥによって制定された規格である SMPTE 349M に準拠した多重処理を施して、ｐチャンネルのＳＤ信号ＤＳＤn1〜ＤＳＤnpに基づく１チャンネルのＨＤ−ＳＤＩ信号ＤＨＳｎを形成する。
【００７９】
その結果、ｎ個のシリアルディジタル映像信号形成部６０-1，６０-2，・・・，６０-nから、例えば、５チャンネルもしくは６チャンネルとされるｎチャンネルのＨＤ−ＳＤＩ信号ＤＨＳ１，ＤＨＳ２，・・・・・，ＤＨＳｎが得られ、それらがパラレルデータ形成部１１に供給される。これらのｎチャンネルのＨＤ−ＳＤＩ信号ＤＨＳ１，ＤＨＳ２，・・・・・，ＤＨＳｎの夫々も、例えば、フレームレートを３０Ｈｚあるいは２５Ｈｚとし、各フレームにおける全ライン数及び各ラインにおける全サンプル数を、夫々、５２５ライン及び４７１９サンプル、あるいは、６２５ライン及び４７５２サンプルとし、ワードビット数（量子化ビット数）を１０ビットとし、データ形式をＹ，ＣB ／ＣR 形式とするものとされるＨＤ信号がシリアル化されて得られるものとされる。そして、例えば、ｎチャンネルが５チャンネルとされて、シリアルディジタル映像信号形成部６０-1，６０-2，・・・，６０-nから５チャンネルのＨＤ−ＳＤＩ信号ＤＨＳ１〜ＤＨＳ５がパラレルデータ形成部１１に供給される状態が動作モード１とされ、また、ｎチャンネルが６チャンネルとされて、シリアルディジタル映像信号形成部６０-1，６０-2，・・・，６０-nから６チャンネルのＨＤ−ＳＤＩ信号ＤＨＳ１〜ＤＨＳ６がパラレルデータ形成部１１に供給される状態が動作モード２とされる。
【００８０】
図９に示されるパラレルデータ形成部１１も、図１に示されるパラレルデータ形成部１１と同様に、図２に示されるような、ＨＤ−ＳＤＩ信号ＤＨＳ１に対するデータ処理部ＰＤ１，ＨＤ−ＳＤＩ信号ＤＨＳ２に対するデータ処理部ＰＤ２，・・・・・，ＨＤ−ＳＤＩ信号ＤＨＳｎに対するデータ処理部ＰＤｎを内蔵している。また、パラレルデータ形成部１１に設けられたモード切換制御部２１は、データ処理部ＰＤ１〜ＰＤｎにおいて形成されるワード列データＤｈ１〜Ｄｈｎに含まれる識別データ：Payload IDを検出して、そのときの動作モード、例えば、シリアルディジタル映像信号形成部６０-1，６０-2，・・・，６０-nから５チャンネルのＨＤ−ＳＤＩ信号ＤＨＳ１〜ＤＨＳ５がパラレルデータ形成部１１に供給される動作モード１もしくはシリアルディジタル映像信号形成部６０-1，６０-2，・・・，６０-nから６チャンネルのＨＤ−ＳＤＩ信号ＤＨＳ１〜ＤＨＳ６がパラレルデータ形成部１１に供給される動作モード２を検知し、図９に示される例の全体に、検知された動作モードに対応したデータ処理モードをとらせるためのモード切換制御信号ＣＭＴを送出する。その結果、図９に示される例が、その全体に亙って、その時の動作モードに適合するデータ処理モードをとるものとされる。
【００８１】
図９に示される実施例３におけるその他の部分は、図１に示される実施例１における対応する部分と同様であるので、図９における図１に示されるブロック及び信号もしくはデータに対応するブロック及び信号もしくはデータを、図１と共通の符号を付してあらわし、重複説明を省略する。
【００８２】
このような、図９に示される本願の特許請求の範囲における請求項７に記載された発明に係るデータ送信装置の一例である実施例３にあっては、例えば、２０チャンネルもしくは２４チャンネルとされるｐ×ｎチャンネルのＳＤ信号ＤＳＤ11〜ＤＳＤ1p，ＤＳＤ21〜ＤＳＤ2p，・・・・・，ＤＳＤn1〜ＤＳＤnpに基づく、例えば、５チャンネルもしくは６チャンネルとされるｎチャンネルのＨＤ−ＳＤＩ信号ＤＨＳ１〜ＤＨＳｎを、それらに多重化処理を施した後、ビットレートを１０Ｇb/s 以上、例えば、１０．６９２Ｇb/s とするビット列データＤＴＧに変換し、それを伝送すべく送出することができる。従って、多数チャンネルのＳＤ信号についての多重化処理を施したもとでのシリアル伝送を、実用に供することができるものとして実現できることになる。
【実施例４】
【００８３】
図１０は、本願の特許請求の範囲における請求項８に記載された発明に係るデータ送信装置の一例（実施例４）を示す。
【００８４】
図１０に示される例、即ち、実施例４にあっては、図１に示されるパラレルデータ形成部１１と同様のものとされるパラレルデータ形成部１１の入力端側に、例えば、３個もしくは２個とされるｑ個のシリアルディジタル映像信号形成部６１-1〜６１-qを備えている。シリアルディジタル映像信号形成部６１-1には、各々がビットレートを規格化された２７０Ｍb/s とする、例えば、４チャンネルとされるｐチャンネルのＳＤ信号ＤＳＤ11〜ＤＳＤ1pが、各々が規格化された１．４８５Ｇｂ／ｓとされるビットレートを有するものとされるＨＤ−ＳＤＩ信号のビットレートより低い規格に定められたビットレートを有したビット列データを成すｐチャンネルのシリアルディジタル映像信号として供給され、・・・・・、シリアルディジタル映像信号形成部６１-qには、各々がビットレートを規格化された２７０Ｍb/s とする、例えば、４チャンネルとされるｐチャンネルのＳＤ信号ＤＳＤq1〜ＤＳＤqpが、各々がＨＤ−ＳＤＩ信号のビットレートより低い規格に定められたビットレートを有したビット列データを成すｐチャンネルのシリアルディジタル映像信号として供給される。
【００８５】
このようにして、ｑ個のシリアルディジタル映像信号形成部６１-1〜６１-qには、例えば、１２チャンネルもしくは８チャンネルとされるｐ×ｑチャンネルのＳＤ信号ＤＳＤ11〜ＤＳＤ1p，・・・・・，ＤＳＤq1〜ＤＳＤqpが供給される。これらのＳＤ信号ＤＳＤ11〜ＤＳＤ1p，・・・・・，ＤＳＤq1〜ＤＳＤqpの夫々は、例えば、フレームレートを３０Ｈｚあるいは２５Ｈｚとし、各フレームにおけるライン数を５２５ラインあるいは６２５ラインとし、ワードビット数（量子化ビット数）を１０ビットとし、Ｙデータ系列とＣB ／ＣR データ系列とにワード多重処理が施されて構成されたＤ１信号がシリアル化されて得られるものとされる。
【００８６】
そして、シリアルディジタル映像信号形成部６１-1は、ｐチャンネルのＳＤ信号ＤＳＤ11〜ＤＳＤ1pに、例えば、ＳＭＰＴＥによって制定された規格である SMPTE 349M に準拠した多重処理を施して、ｐチャンネルのＳＤ信号ＤＳＤ11〜ＤＳＤ1pに基づく１チャンネルのＨＤ−ＳＤＩ信号ＤＨＳ１を形成し、・・・・・、シリアルディジタル映像信号形成部６１-qは、ｐチャンネルのＳＤ信号ＤＳＤq1〜ＤＳＤqpに、例えば、ＳＭＰＴＥによって制定された規格である SMPTE 349M に準拠した多重処理を施して、ｐチャンネルのＳＤ信号ＤＳＤq1〜ＤＳＤqpに基づく１チャンネルのＨＤ−ＳＤＩ信号ＤＨＳq を形成する。
【００８７】
その結果、ｑ個のシリアルディジタル映像信号形成部６１-1〜６１-qから、例えば、３チャンネルもしくは２チャンネルとされるｑチャンネルのＨＤ−ＳＤＩ信号ＤＨＳ１〜ＤＨＳｑが得られ、それらがパラレルデータ形成部１１に供給される。これらのｑチャンネルのＨＤ−ＳＤＩ信号ＤＨＳ１〜ＤＨＳｑの夫々も、例えば、フレームレートを３０Ｈｚあるいは２５Ｈｚとし、各フレームにおける全ライン数及び各ラインにおける全サンプル数を、夫々、５２５ライン及び４７１９サンプル、あるいは、６２５ライン及び４７５２サンプルとし、ワードビット数（量子化ビット数）を１０ビットとし、データ形式をＹ，ＣB ／ＣR 形式とするものとされるＨＤ信号がシリアル化されて得られるものとされる。
【００８８】
また、パラレルデータ形成部１１には、例えば、２チャンネルもしくは３チャンネルとされるｒ＝ｎ−ｑチャンネルの、各々が規格化された１．４８５Ｇｂ／ｓとされるビットレートを有するものとされるＨＤ−ＳＤＩ信号ＤＨＤ1 〜ＤＨＤr が供給される。このようなｒチャンネルのＨＤ−ＳＤＩ信号ＤＨＤ１〜ＤＨＤｒの夫々も、例えば、フレームレートを３０Ｈｚ，２５Ｈｚもしくは２４Ｈｚとし、各フレームにおける有効ライン数及び各ラインにおける有効ワード数を１０８０ライン及び１９２０ワードとし、ワードビット数（量子化ビット数）を１０ビットとし、データ形式をＹ，ＣB ／ＣR 形式とするものとされるＨＤ信号がシリアル化されて得られるものと同等のものとされる。
【００８９】
その結果、パラレルデータ形成部１１には、ｑ個のシリアルディジタル映像信号形成部６１-1〜６１-qからのｑチャンネルのＨＤ−ＳＤＩ信号ＤＨＳ１〜ＤＨＳｑとｒ＝ｎ−ｑチャンネルのＨＤ−ＳＤＩ信号ＤＨＤ１〜ＤＨＤｒとの、合計で、例えば、５チャンネルとされるｎチャンネルのＨＤ−ＳＤＩ信号ＤＨＳ１〜ＤＨＳｑ及びＤＨＤ１〜ＤＨＤｒが供給されることになる。そして、斯かる図１０に示されるパラレルデータ形成部１１も、図１に示されるパラレルデータ形成部１におけるデータ処理部ＰＤ１，ＰＤ２，・・・，ＰＤｎに対応する、ｎチャンネルのＨＤ−ＳＤＩ信号ＤＨＳ１〜ＤＨＳｑ及びＤＨＤ１〜ＤＨＤｒに対するｎ個のデータ処理部を内蔵している。
【００９０】
図１０に示される実施例４におけるその他の部分は、図１に示される実施例１における対応する部分と同様であるので、図１０における図１に示されるブロック及び信号もしくはデータに対応するブロック及び信号もしくはデータを、図１と共通の符号を付してあらわし、重複説明を省略する。
【００９１】
このような、図１０に示される本願の特許請求の範囲における請求項８に記載された発明に係るデータ送信装置の一例である実施例４にあっては、例えば、１２チャンネルもしくは８チャンネルとされるｐ×ｑチャンネルのＳＤ信号ＤＳＤ11〜ＤＳＤ1p，・・・・・，ＤＳＤq1〜ＤＳＤqpと、例えば、２チャンネルもしくは３チャンネルとされるｒ＝ｎ−ｑチャンネルのＨＤ−ＳＤＩ信号ＤＨＤ１〜ＤＨＤｒとに基づく、例えば、５チャンネルとされるｎチャンネルのＨＤ−ＳＤＩ信号ＤＨＳ１〜ＤＨＳｑ及びＤＨＤ１〜ＤＨＤｒを、それらに多重化処理を施した後、ビットレートを１０Ｇb/s 以上、例えば、１０．６９２Ｇb/s とするビット列データＤＴＧに変換し、それを伝送すべく送出することができる。従って、複数チャンネルのＳＤ信号とＨＤ−ＳＤＩ信号とについての多重化処理を施したもとでのシリアル伝送を、実用に供することができるものとして実現できることになる。
【実施例５】
【００９２】
図１１は、本願の特許請求の範囲における請求項９に記載された発明に係るデータ送信装置の一例（実施例５）の部分を示す。
【００９３】
図１１にその一部分が示される例、即ち、実施例５にあっては、図１に示されるパラレルデータ形成部１１と同様のものとされるパラレルデータ形成部１１の入力端側に、１個のシリアルディジタル映像信号形成部６２を備えている。シリアルディジタル映像信号形成部６２には、各々がビットレートを規格化された２７０Ｍb/s とする、例えば、４チャンネルとされるｐチャンネルのＳＤ信号ＤＳＤ11〜ＤＳＤ1pが、各々が規格化された１．４８５Ｇｂ／ｓとされるビットレートを有するものとされるＨＤ−ＳＤＩ信号のビットレートより低い規格に定められたビットレートを有したビット列データを成すｐチャンネルのシリアルディジタル映像信号として供給される。これらのＳＤ信号ＤＳＤ11〜ＤＳＤ1pの夫々は、例えば、フレームレートを３０Ｈｚあるいは２５Ｈｚとし、各フレームにおけるライン数を５２５ラインあるいは６２５ラインとし、ワードビット数（量子化ビット数）を１０ビットとし、Ｙデータ系列とＣB ／ＣR データ系列とにワード多重処理が施されて構成されたＤ１信号がシリアル化されて得られるものとされる。
【００９４】
シリアルディジタル映像信号形成部６２は、ｐチャンネルのＳＤ信号ＤＳＤ11〜ＤＳＤ1pに、例えば、ＳＭＰＴＥによって制定された規格である SMPTE 349M に準拠した多重処理を施して、ｐチャンネルのＳＤ信号ＤＳＤ11〜ＤＳＤ1pに基づく１チャンネルのＨＤ−ＳＤＩ信号ＤＨＳ１を形成する。それにより、シリアルディジタル映像信号形成部６２から、１チャンネルのＨＤ−ＳＤＩ信号ＤＨＳ１が得られ、それがパラレルデータ形成部１１に供給される。このＨＤ−ＳＤＩ信号ＤＨＳ１も、例えば、フレームレートを３０Ｈｚあるいは２５Ｈｚとし、各フレームにおける全ライン数及び各ラインにおける全サンプル数を、夫々、５２５ライン及び４７１９サンプル、あるいは、６２５ライン及び４７５２サンプルとし、ワードビット数（量子化ビット数）を１０ビットとし、データ形式をＹ，ＣB ／ＣR 形式とするものとされるＨＤ信号がシリアル化されて得られるものとされる。
【００９５】
また、パラレルデータ形成部１１には、例えば、４チャンネルとされるｒチャンネルの、各々が規格化された１．４８５Ｇｂ／ｓとされるビットレートを有するものとされるＨＤ−ＳＤＩ信号ＤＨＤ1 〜ＤＨＤr が供給される。これらのｒチャンネルのＨＤ−ＳＤＩ信号ＤＨＤ１〜ＤＨＤｒの夫々も、例えば、フレームレートを３０Ｈｚ，２５Ｈｚもしくは２４Ｈｚとし、各フレームにおける有効ライン数及び各ラインにおける有効ワード数を１０８０ライン及び１９２０ワードとし、ワードビット数（量子化ビット数）を１０ビットとし、データ形式をＹ，ＣB ／ＣR 形式とするものとされるＨＤ信号がシリアル化されて得られるものと同等のものとされる。
【００９６】
その結果、パラレルデータ形成部１１には、シリアルディジタル映像信号形成部６２からの１チャンネルのＨＤ−ＳＤＩ信号ＤＨＳ１とｒチャンネルのＨＤ−ＳＤＩ信号ＤＨＤ１〜ＤＨＤｒとの、合計で、例えば、５チャンネルとされるｎチャンネルのＨＤ−ＳＤＩ信号ＤＨＳ１及びＤＨＤ１〜ＤＨＤｒが供給されることになる。斯かる図１１に示されるパラレルデータ形成部１１も、図１に示されるパラレルデータ形成部１１におけるデータ処理部ＰＤ１，ＰＤ２，・・・，ＰＤｎに対応する、ｎチャンネルのＨＤ−ＳＤＩ信号ＤＨＳ１及びＤＨＤ１〜ＤＨＤｒに対するｎ個のデータ処理部を内蔵している。
【００９７】
そして、その一部分が図１１に示された実施例５における図示が省略された部分は、図１に示される第１の例における対応する部分と同様とされる。
【００９８】
このような、図１１にその一部分が示される本願の特許請求の範囲における請求項９に記載された発明に係るデータ送信装置の一例である実施例５にあっては、例えば、４チャンネルとされるｐチャンネルのＳＤ信号ＤＳＤ11〜ＤＳＤ1pと、例えば、４チャンネルとされるｒチャンネルのＨＤ−ＳＤＩ信号ＤＨＤ１〜ＤＨＤｒとに基づく、例えば、５チャンネルとされるｎチャンネルのＨＤ−ＳＤＩ信号ＤＨＳ１及びＤＨＤ１〜ＤＨＤｒを、それらに多重化処理を施した後、ビットレートを１０Ｇb/s 以上、例えば、１０．６９２Ｇb/s とするビット列データＤＴＧに変換し、それを伝送すべく送出することができる。従って、複数チャンネルのＳＤ信号とＨＤ−ＳＤＩとについての多重化処理を施したもとでのシリアル伝送を、実用に供することができるものとして実現できることになる。
【実施例６】
【００９９】
図１２は、本願の特許請求の範囲における請求項１０に記載された発明に係るデータ送信装置の一例（実施例６）の部分を示す。
【０１００】
図１２にその一部分が示される例、即ち、実施例６にあっては、図１に示されるパラレルデータ形成部１１と同様のものとされるパラレルデータ形成部１１の入力端側に、例えば４個とされるｑ個のシリアルディジタル映像信号形成部６３-1〜６３-qを備えている。シリアルディジタル映像信号形成部６３-1には、各々がビットレートを規格化された２７０Ｍb/s とする、例えば、４チャンネルとされるｐチャンネルのＳＤ信号ＤＳＤ11〜ＤＳＤ1pが、各々が規格化された１．４８５Ｇｂ／ｓとされるビットレートを有するものとされるＨＤ−ＳＤＩ信号のビットレートより低い規格に定められたビットレートを有したビット列データを成すｐチャンネルのシリアルディジタル映像信号として供給され, ・・・・・，シリアルディジタル映像信号形成部６３-qには、各々がビットレートを規格化された２７０Ｍb/s とする、例えば、４チャンネルとされるｐチャンネルのＳＤ信号ＤＳＤq1〜ＤＳＤqpが、各々が規格化された１．４８５Ｇｂ／ｓとされるビットレートを有するものとされるＨＤ−ＳＤＩ信号のビットレートより低い規格に定められたビットレートを有したビット列データを成すｐチャンネルのシリアルディジタル映像信号として供給される。
【０１０１】
このようにして、ｑ個のシリアルディジタル映像信号形成部６３-1〜６３-qには、例えば、１６チャンネルとされるｐ×ｑチャンネルのＳＤ信号ＤＳＤ11〜ＤＳＤ1p，・・・・・，ＤＳＤq1〜ＤＳＤqpが供給される。これらのＳＤ信号ＤＳＤ11〜ＤＳＤ1p，・・・・・，ＤＳＤq1〜ＤＳＤqpの夫々は、例えば、フレームレートを３０Ｈｚあるいは２５Ｈｚとし、各フレームにおけるライン数を５２５ラインあるいは６２５ラインとし、ワードビット数（量子化ビット数）を１０ビットとし、Ｙデータ系列とＣB ／ＣR データ系列とにワード多重処理が施されて構成されたＤ１信号がシリアル化されて得られるものとされる。
【０１０２】
そして、シリアルディジタル映像信号形成部６３-1は、ｐチャンネルのＳＤ信号ＤＳＤ11〜ＤＳＤ1pに、例えば、ＳＭＰＴＥによって制定された規格である SMPTE 349M に準拠した多重処理を施して、ｐチャンネルのＳＤ信号ＤＳＤ11〜ＤＳＤ1pに基づく１チャンネルのＨＤ−ＳＤＩ信号ＤＨＳ１を形成し、・・・・・、シリアルディジタル映像信号形成部６３-qは、ｐチャンネルのＳＤ信号ＤＳＤq1〜ＤＳＤqpに、例えば、ＳＭＰＴＥによって制定された規格である SMPTE 349M に準拠した多重処理を施して、ｐチャンネルのＳＤ信号ＤＳＤq1〜ＤＳＤqpに基づく１チャンネルのＨＤ−ＳＤＩ信号ＤＨＳq を形成する。
【０１０３】
その結果、ｑ個のシリアルディジタル映像信号形成部６３-1〜６３-qから、例えば、４チャンネルとされるｑチャンネルのＨＤ−ＳＤＩ信号ＤＨＳ１〜ＤＨＳｑが得られ、それらがパラレルデータ形成部１１に供給される。これらのｑチャンネルのＨＤ−ＳＤＩ信号ＤＨＳ１〜ＤＨＳｑの夫々も、例えば、フレームレートを３０Ｈｚあるいは２５Ｈｚとし、各フレームにおける全ライン数及び各ラインにおける全サンプル数を、夫々、５２５ライン及び４７１９サンプル、あるいは、６２５ライン及び４７５２サンプルとし、ワードビット数（量子化ビット数）を１０ビットとし、データ形式をＹ，ＣB ／ＣR 形式とするものとされるＨＤ信号がシリアル化されて得られるものとされる。
【０１０４】
また、パラレルデータ形成部１１には、１チャンネルの規格化された１．４８５Ｇｂ／ｓとされるビットレートを有するものとされるＨＤ−ＳＤＩ信号ＤＨＤ1 が供給される。この１チャンネルのＨＤ−ＳＤＩ信号ＤＨＤ１も、例えば、フレームレートを３０Ｈｚ，２５Ｈｚもしくは２４Ｈｚとし、各フレームにおける有効ライン数及び各ラインにおける有効ワード数を１０８０ライン及び１９２０ワードとし、ワードビット数（量子化ビット数）を１０ビットとし、データ形式をＹ，ＣB ／ＣR 形式とするものとされるＨＤ信号がシリアル化されて得られるものと同等のものとされる。
【０１０５】
その結果、パラレルデータ形成部１１には、ｑ個のシリアルディジタル映像信号形成部６３-1〜６３-qからのｑチャンネルのＨＤ−ＳＤＩ信号ＤＨＳ１〜ＤＨＳｑと１チャンネルのＨＤ−ＳＤＩ信号ＤＨＤ１との、合計で、例えば、５チャンネルとされるｎチャンネルのＨＤ−ＳＤＩ信号ＤＨＳ１〜ＤＨＳｑ及びＤＨＤ１が供給されることになる。そして、斯かる図１２に示されるパラレルデータ形成部１１も、図１に示されるパラレルデータ形成部１１におけるデータ処理部ＰＤ１，ＰＤ２，・・・，ＰＤｎに対応する、ｎチャンネルのＨＤ−ＳＤＩ信号ＤＨＳ１〜ＤＨＳｑ及びＤＨＤ１に対するｎ個のデータ処理部を内蔵している。
【０１０６】
そして、その一部分が図１２に示された実施例６における図示が省略された部分は、図１に示される第１の例における対応する部分と同様とされる。
【０１０７】
このような、図１２にその一部分が示される本願の特許請求の範囲における請求項１０に記載された発明に係るデータ送信装置の一例である実施例６にあっては、例えば、１６チャンネルとされるｐ×ｑチャンネルのＳＤ信号ＤＳＤ11〜ＤＳＤ1p，・・・・・，ＤＳＤq1〜ＤＳＤqpと１チャンネルのＨＤ−ＳＤＩ信号ＤＨＤ１とに基づく、例えば、５チャンネルとされるｎチャンネルのＨＤ−ＳＤＩ信号ＤＨＳ１〜ＤＨＳｑ及びＤＨＤ１を、それらに多重化処理を施した後、ビットレートを１０Ｇb/s 以上、例えば、１０．６９２Ｇb/s とするビット列データＤＴＧに変換し、それを伝送すべく送出することができる。従って、複数チャンネルのＳＤ信号とＨＤ−ＳＤＩとについての多重化処理を施したもとでのシリアル伝送を、実用に供することができるものとして実現できることになる。
【実施例７】
【０１０８】
図１３は、本願の特許請求の範囲における請求項１１から請求項１４までのいずれかに記載された発明に係るデータ受信装置の一例（実施例７）を示す。
【０１０９】
図１３に示される例、即ち、実施例７にあっては、オプティカル・ファイバー等によって形成される光信号伝送ケーブル３１を通じて到来する光信号ＤＬが、データ受取部を形成する光電変換部３２によって受けられる。光信号ＤＬは、図１に示される実施例１により伝送されるべく送出される、ビットレートを、１０Ｇb/s 以上、例えば、１０．６９２Ｇb/s とするビット列データＤＴＧが変換されて得られる光信号ＤＬに相当するものとされる。
【０１１０】
光電変換部３２は、光信号ＤＬを、ビットレートを、１０Ｇb/s 以上、例えば、１０．６９２Ｇb/s とするビット列データＤＴＧに変換し、そのビット列データＤＴＧをＳ／Ｐ変換・多チャンネルデータ形成部３３に供給する。Ｓ／Ｐ変換・多チャンネルデータ形成部３３にあっては、ビット列データＤＴＧにＳ／Ｐ変換を施すとともに、それにより得られるパラレルデータに基づく、各々がビットレートを、例えば、６６８．２５Ｍb/s とするものとされるｍチャンネル（ｍは３以上の整数）、例えば、１６チャンネルのビット列データＤＳＸを形成する。それにより、Ｓ／Ｐ変換・多チャンネルデータ形成部３３から得られる１６チャンネルのビット列データＤＳＸは、データ多重部３４に供給される。
【０１１１】
データ多重部３４にあっては、１６チャンネルのビット列データＤＳＸを多重して、多重ワード列データとされるワード列データＤｑを形成する。それにより、データ多重部３４から得られるワード列データＤｑは、その６４ビットずつが、メモリ部３５に、周波数を１６７．０６２５ＭＨｚとする書込クロック信号ＱＷ４をもって書き込まれる。そして、メモリ部３５に書き込まれたワード列データＤｑは、メモリ部３５から、周波数を８３．５３１２５ＭＨｚとする読出クロック信号ＱＲ４をもって１２８ビットずつ読み出され、ワード列データＤｒとしてビット・ワード同期設定部３６に供給される。
【０１１２】
このようにしてビット・ワード同期設定部３６に供給されるワード列データＤｒは、例えば、図６のＡ，ＢもしくはＣ、あるいは、図７のＡ，ＢもしくはＣに示されるようなライン分データ構造をとるものとされる。そして、ビット・ワード同期設定部３６においては、ワード列データＤｒに含まれる、連続する２バイトの“Ｋ２８．５”の検出が行われ、その検出結果に基づいてビット同期及びワード同期が確立される。また、ビット・ワード同期設定部３６に設けられたモード切換制御部３７は、ワード列データＤｒに含まれる識別データ：Payload IDを検出して、ワード列データＤｒのデータ内容を検知し、図１３に示される例の全体に、検知されたデータ内容に対応したデータ処理モードをとらせるためのモード切換制御信号ＣＭＲを送出する。その結果、図１３に示される例が、その全体に亙って、ワード列データＤｒのデータ内容に適合するデータ処理モードをとるものとされる。
【０１１３】
ビット・ワード同期設定部３６を経たワード列データＤｒは、データ長変換部３８に供給される。データ長変換部３８においては、ワード列データＤｒに、その１２８ビットを順次５０×ｎビット（ｎはｍより小なる２以上の整数）に変換するデータ長変換処理が施されて、ワード列データＤｏが形成される。その際、ワード列データＤｒに送信時に付加された付加データが含まれている場合には、その付加データは除去される。
【０１１４】
そして、データ長変換部３８から得られるワード列データＤｏは、その５０×ｎビットずつが、メモリ部３９に、周波数を８３．５３１２５／２ＭＨｚ≒４１．７６６ＭＨｚとする書込クロック信号ＱＷ５をもって書き込まれる。そして、メモリ部３９に書き込まれたワード列データＤｏは、メモリ部３９から、周波数を７４．２５／２ＭＨｚ＝３７．１２５ＭＨｚとする読出クロック信号ＱＲ５をもって５０×ｎビットずつ読み出され、多重ワード列データＤｍとして、データ分離部４０に供給される。
【０１１５】
データ分離部４０においては、多重ワード列データＤｍにワード分離処理が施されて、多重ワード列データＤｍからｎチャンネルのワード列データＤｅ１〜Ｄｅｎが分離されて取り出される。これらのデータ分離部４０において分離されるｎチャンネルのワード列データＤｅ１〜Ｄｅｎは、それらの夫々が、５０ビットずつデータ分離部４０から送出されて、シリアルデータ形成部４１に供給されるものとされる。
【０１１６】
シリアルデータ形成部４１は、図１４に示されるように、ワード列データＤｅ１に対するデータ処理部ＰＲ１，ワード列データＤｅ２に対するデータ処理部ＰＲ２，・・・・・，ワード列データＤｅｎに対するデータ処理部ＰＲｎを内蔵している。
【０１１７】
データ処理部ＰＲ１においては、それに供給されるワード列データＤｅ１に、８Ｂ／１０Ｂデコーディング変換部４２において、その５０ビットが順次４０ビットに変換されていく８Ｂ／１０Ｂデコーディング変換が施され、ワード列データＤｄ１が形成される。そして、８Ｂ／１０Ｂデコーディング変換部４２から得られるワード列データＤｄ１は、Ｋ２８．５・Ｐ．ＩＤ入換部４３に供給される。
【０１１８】
Ｋ２８．５・Ｐ．ＩＤ入換部４３においては、ワード列データＤｄ１の各ラインブランキング部の冒頭に挿入された、２バイトの８Ｂ／１０Ｂ変換処理が施されるとき“Ｋ２８．５”となる８ビットワードデータと、３バイトの８Ｂ／１０Ｂ変換処理が施されるとき識別データ：Payload IDとなる８ビットワードデータとを、タイミング基準コードデータＥＡＶを構成する４ワード（３ＦＦ（Ｙ），３ＦＦ（Ｃ），０００（Ｙ），０００（Ｃ））をもって入れ換える、データ入換処理が行われる。
【０１１９】
Ｋ２８．５・Ｐ．ＩＤ入換部４３からは、各ラインブランキング部の冒頭がタイミング基準コードデータＳＡＶあるいはＥＡＶを構成する４ワードに入れ換えられたワード列データＤｄ１が４０ビットずつ送出され、そのワード列データＤｄ１が、ＦＩＦＯメモリ部４４に、４０ビットずつ、周波数を７４．２５／２ＭＨｚ＝３７．１２５ＭＨｚとする書込クロック信号ＱＷ６をもって書き込まれる。続いて、ＦＩＦＯメモリ部４４に書き込まれたワード列データＤｄ１は、ＦＩＦＯメモリ部４４から、周波数を７４．２５ＭＨｚとする読出クロック信号ＱＲ６をもって２０ビットずつ読み出されて、２０ビットワード構成のパラレルディジタル映像信号であるＨＤ信号を成すワード列データＤｈ１が形成され、そのワード列データＤｈ１がＰ／Ｓ変換部４５に供給される。このワード列データＤｈ１は、例えば、図３に示されるようなライン分データ構造を有したものとされる。
【０１２０】
Ｐ／Ｓ変換部４５においては、ワード列データＤｈ１にＰ／Ｓ変換が施されて、ワード列データＤｈ１に基づく、ビットレートを規格化された１．４８５Ｇb/s とするシリアルディジタル映像信号であるＨＤ−ＳＤＩ信号ＤＨＳ１が形成される。そして、このＰ／Ｓ変換部４５において形成されるＨＤ−ＳＤＩ信号ＤＨＳ１が、データ処理部ＤＲ１からの出力データとされる。
【０１２１】
また、データ処理部ＰＲ２においては、それに供給されるワード列データＤｅ２に、８Ｂ／１０Ｂデコーディング変換部４６において、その５０ビットが順次４０ビットに変換されていく８Ｂ／１０Ｂデコーディング変換が施され、ワード列データＤｄ２が形成される。そして、８Ｂ／１０Ｂデコーディング変換部４６から得られるワード列データＤｄ２は、ＦＩＦＯメモリ部４７に、４０ビットずつ、周波数を７４．２５／２ＭＨｚ＝３７．１２５ＭＨｚとする書込クロック信号ＱＷ６をもって書き込まれる。
【０１２２】
続いて、ＦＩＦＯメモリ部４７に書き込まれたワード列データＤｄ２は、ＦＩＦＯメモリ部４７から、周波数を７４．２５ＭＨｚとする読出クロック信号ＱＲ６をもって２０ビットずつ読み出されて、２０ビットワード構成のパラレルディジタル映像信号であるＨＤ信号を成すワード列データＤｈ２が形成され、そのワード列データＤｈ２がＰ／Ｓ変換部４８に供給される。このワード列データＤｈ２も、例えば、図３に示されるようなライン分データ構造を有したものとされる。
【０１２３】
Ｐ／Ｓ変換部４８においては、ワード列データＤｈ２にＰ／Ｓ変換が施されて、ワード列データＤｈ２に基づく、ビットレートを規格化された１．４８５Ｇb/s とするシリアルディジタル映像信号であるＨＤ−ＳＤＩ信号ＤＨＳ２が形成される。そして、このＰ／Ｓ変換部４８において形成されるＨＤ−ＳＤＩ信号ＤＨＳ２が、データ処理部ＰＲ２からの出力データとされる。
【０１２４】
データ処理部ＰＲ３〜ＰＲｎの夫々もデータ処理部ＰＲ２と同様であり、データ処理部ＰＲ３〜ＰＲｎにおいては、それらに夫々供給されるワード列データＤｅ３〜Ｄｅｎに対しての、データ処理部ＰＲ２におけるそれに供給されるワード列データＤｅ２に対して行われる処理と同様な処理が行われ、データ処理部ＰＲ３〜ＰＲｎから、出力データとして、各々がビットレートを規格化された１．４８５Ｇb/s とするシリアルディジタル映像信号であるＨＤ−ＳＤＩ信号ＤＨＳ３〜ＤＨＳｎが得られる。
【０１２５】
このようにして、データ処理部ＰＲ１〜ＰＲｎの夫々からの出力データとして得られるｎチャンネルのＨＤ−ＳＤＩ信号ＤＨＳ１〜ＤＨＳｎが、シリアルデータ形成部４１から、再生されたＨＤ−ＳＤＩ信号として送出される。
【０１２６】
上述のようにして、図１３に示される本願の特許請求の範囲における請求項１１から請求項１４までのいずれかに記載された発明に係るデータ受信装置の一例である実施例７にあっては、例えば、ビットレートを１０Ｇb/s 以上、例えば、１０．６９２Ｇｂ／ｓとするビット列データＤＴＧを受け取り、受け取ったビット列データＤＴＧから、各々が規格に定められたビットレートを有したビット列データを成すｎチャンネルのシリアルディジタル映像信号である、ｎチャンネルのＨＤ−ＳＤＩ信号ＤＨＳ１〜ＤＨＳｎを再生することができる。従って、規格化された１．４８５Ｇｂ／ｓとされるビットレートを有するものとされるＨＤ−ＳＤＩ信号についての、その複数チャンネルを多重したもとでのシリアル伝送にあたり、その受信側装置を構成できることになる。
【実施例８】
【０１２７】
図１５は、本願の特許請求の範囲における請求項１５に記載された発明に係るデータ受信装置の一例（実施例８）を示す。
【０１２８】
図１５に示される例、即ち、実施例８にあっては、図１３に示されるシリアルデータ形成部４１と同様のものとされるシリアルデータ形成部４１の出力端側に、特定パラレルディジタル映像信号形成部５０を備えている。特定パラレルディジタル映像信号形成部５０には、シリアルデータ形成部４１から得られるｎチャンネルのＨＤ−ＳＤＩ信号ＤＨＳ１〜ＤＨＳｎが供給される。斯かる際においてシリアルデータ形成部４１から得られるｎチャンネルのＨＤ−ＳＤＩ信号ＤＨＳ１〜ＤＨＳｎは、次世代カメラ信号，ＨＤスーパーモーション信号，４ｋ×２ｋ信号等のいずれかとされる、特定のフレームレート，量子化ビット数、及び、緑色，青色及び赤色原色信号データ系列の並列配置をもって構成されたワード列データを成す特定パラレルディジタル映像信号に変換処理が施されて形成されたものとされる。
【０１２９】
特定パラレルディジタル映像信号形成部５０においては、ｎチャンネルのＨＤ−ＳＤＩ信号ＤＨＳ１〜ＤＨＳｎが、特定パラレルディジタル映像信号からの変換の際に付加された補足ビットがある場合にはそれが除去されるもとで、次世代カメラ信号，ＨＤスーパーモーション信号，４ｋ×２ｋ信号等のいずれかとされる特定パラレルディジタル映像信号ＤＳＶに変換される。それにより、特定パラレルディジタル映像信号形成部５０からは、ビットレートを１０Ｇb/s 以上、例えば、１０．６９２Ｇｂ／ｓとするビット列データＤＴＧに基づいて再生された次世代カメラ信号，ＨＤスーパーモーション信号，４ｋ×２ｋ信号等のいずれかとされる特定パラレルディジタル映像信号ＤＳＶが送出される。
【０１３０】
図１５に示される実施例８におけるその他の部分は、図１３に示される実施例７における対応する部分と同様であるので、図１５における図１３に示されるブロック及び信号もしくはデータに対応するブロック及び信号もしくはデータを、図１３と共通の符号を付してあらわし、重複説明を省略する。
【０１３１】
このような、図１５に示される本願の特許請求の範囲における請求項１５に記載された発明に係るデータ受信装置の一例である実施例８にあっては、ビットレートを１０Ｇb/s 以上、例えば、１０．６９２Ｇｂ／ｓとするビット列データＤＴＧを受け取り、受け取ったビット列データＤＴＧから、例えば、次世代カメラ信号，ＨＤスーパーモーション信号，４ｋ×２ｋ信号等のいずれかとされる、特定のフレームレート，量子化ビット数、及び、緑色，青色及び赤色原色信号データ系列の並列配置をもって構成されたワード列データを成す特定パラレルディジタル映像信号ＤＳＶを再生することができる。従って、次世代カメラ信号，ＨＤスーパーモーション信号，４ｋ×２ｋ信号等のいずれかについてのシリアル伝送にあたり、その受信側装置を構成できることになる。
【実施例９】
【０１３２】
図１６は、本願の特許請求の範囲における請求項１６に記載された発明に係るデータ受信装置の一例（実施例９）を示す。
【０１３３】
図１６に示される例、即ち、実施例９にあっては、図１３に示されるシリアルデータ形成部４１と同様のものとされるシリアルデータ形成部４１の出力端側に、例えば、５個もしくは６個とされるｎ個のパラレルディジタル映像信号形成部６５-1，６５-2，・・・・・，６５-nを備えている。パラレルディジタル映像信号形成部６５-1〜６５-nには、シリアルデータ形成部４１から得られるｎチャンネルのＨＤ−ＳＤＩ信号ＤＨＳ１〜ＤＨＳｎが夫々供給される。斯かる際においてシリアルデータ形成部４１から得られるｎチャンネルのＨＤ−ＳＤＩ信号ＤＨＳ１〜ＤＨＳｎは、例えば、各々がＨＤ−ＳＤＩ信号のビットレートより低い規格に定められたビットレートを有したビット列データを成すシリアルディジタル映像信号である、多数チャンネルのＳＤ信号に変換処理が施されて形成されたものとされる。
【０１３４】
パラレルディジタル映像信号形成部６５-1においては、ＨＤ−ＳＤＩ信号ＤＨＳ１が、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳ１に基づく、例えば、４チャンネルとされるｐチャンネルの、各々がＨＤ−ＳＤＩ信号のビットレートより低い規格に定められたビットレートを有したビット列データを成すシリアルディジタル映像信号である、ＳＤ信号ＤＳＤ11〜ＤＳＤ1pに変換される。同様に、パラレルディジタル映像信号形成部６５-2においては、ＨＤ−ＳＤＩ信号ＤＨＳ２が、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳ２に基づく、例えば、４チャンネルとされるｐチャンネルのＳＤ信号ＤＳＤ21〜ＤＳＤ2pに変換され，・・・・・，パラレルディジタル映像信号形成部６５-nにおいては、ＨＤ−ＳＤＩ信号ＤＨＳｎが、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳｎに基づく、例えば、４チャンネルとされるｐチャンネルのＳＤ信号ＤＳＤn1〜ＤＳＤnpに変換される。
【０１３５】
それにより、ｎ個のパラレルディジタル映像信号形成部６５-1，６５-2，・・・・・，６５-nから、例えば、各々がビットレートを規格化された２７０Ｍb/s とする、例えば、２０チャンネルもしくは２４チャンネルとされるｎ×ｐチャンネルのＳＤ信号ＤＳＤ11〜ＤＳＤ1p，ＤＳＤ21〜ＤＳＤ2p，・・・・・，ＤＳＤn1〜ＤＳＤnpが送出される。
【０１３６】
図１６に示される実施例９におけるその他の部分は、図１３に示される実施例７における対応する部分と同様であるので、図１６における図１３に示されるブロック及び信号もしくはデータに対応するブロック及び信号もしくはデータを、図１３と共通の符号を付してあらわし、重複説明を省略する。
【０１３７】
このような、図１６に示される本願の特許請求の範囲における請求項１６に記載された発明に係るデータ受信装置の一例である実施例９にあっては、ビットレートを１０Ｇb/s 以上、例えば、１０．６９２Ｇｂ／ｓとするビット列データＤＴＧを受け取り、受け取ったビット列データＤＴＧから、各々がＨＤ−ＳＤＩ信号のビットレートより低い規格に定められたビットレートを有したビット列データを成すシリアルディジタル映像信号である、例えば、２０チャンネルもしくは２４チャンネルのＳＤ信号を再生することができる。従って、多数チャンネルのＳＤ信号についてのそれらを多重したもとでのシリアル伝送にあたり、その受信側装置を構成できることになる。
【実施例１０】
【０１３８】
図１７は、本願の特許請求の範囲における請求項１７に記載された発明に係るデータ受信装置の一例（実施例１０）を示す。
【０１３９】
図１７に示される例、即ち、実施例１０にあっては、図１３に示されるシリアルデータ形成部４１と同様のものとされるシリアルデータ形成部４１の出力端側に、例えば、３個もしくは２個とされるｑ個のパラレルディジタル映像信号形成部６６-1〜６６-qを備えている。パラレルディジタル映像信号形成部６６-1〜６６-qには、シリアルデータ形成部４１において得られる、例えば、5 チャンネルとされるｎチャンネルのＨＤ−ＳＤＩ信号のうちのｑチャンネルのＨＤ−ＳＤＩ信号ＤＨＳ１〜ＤＨＳｑが夫々供給される。斯かる際においてシリアルデータ形成部４１から得られるｑチャンネルのＨＤ−ＳＤＩ信号ＤＨＳ１〜ＤＨＳｑは、例えば、各々がＨＤ−ＳＤＩ信号のビットレートより低い規格に定められたビットレートを有したビット列データを成すシリアルディジタル映像信号である、複数チャンネルのＳＤ信号に変換処理が施されて形成されたものとされる。
【０１４０】
パラレルディジタル映像信号形成部６６-1においては、ＨＤ−ＳＤＩ信号ＤＨＳ１が、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳ１に基づく、例えば、４チャンネルとされるｐチャンネルの、各々がＨＤ−ＳＤＩ信号のビットレートより低い規格に定められたビットレートを有したビット列データを成すシリアルディジタル映像信号である、ＳＤ信号ＤＳＤ11〜ＤＳＤ1pに変換され，・・・・・，パラレルディジタル映像信号形成部６６-qにおいては、ＨＤ−ＳＤＩ信号ＤＨＳｑが、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳｑに基づく、例えば、４チャンネルとされるｐチャンネルのＳＤ信号ＤＳＤq1〜ＤＳＤqpに変換される。
【０１４１】
それにより、ｑ個のパラレルディジタル映像信号形成部６６-1〜６６-qから、例えば、各々がビットレートを規格化された２７０Ｍb/s とする、例えば、１２チャンネルもしくは８チャンネルとされるｑ×ｐチャンネルのＳＤ信号ＤＳＤ11〜ＤＳＤ1p，・・・・・，ＤＳＤq1〜ＤＳＤqpが送出される。
【０１４２】
また、図１７に示される実施例１０にあっては、シリアルデータ形成部４１から、それにおいて得られる、例えば、5 チャンネルとされるｎチャンネルのＨＤ−ＳＤＩ信号のうちの、例えば、２チャンネルもしくは３チャンネルとされるｒ＝ｎ−ｑチャンネルのＨＤ−ＳＤＩ信号ＤＨＤ１〜ＤＨＤｒが送出される。これらのｒ＝ｎ−ｑチャンネルのＨＤ−ＳＤＩ信号ＤＨＤ１〜ＤＨＤｒの夫々は、ビットレートを規格化された１．４８５Ｇb/s とする。
【０１４３】
従って、図１７に示される実施例１０においては、シリアルデータ形成部４１から得られる、例えば、5 チャンネルとされるｎチャンネルのＨＤ−ＳＤＩ信号に基づき、例えば、１２チャンネルもしくは８チャンネルとされるｑ×ｐチャンネルのＳＤ信号ＤＳＤ11〜ＤＳＤ1p，・・・・・，ＤＳＤq1〜ＤＳＤqpと、例えば、２チャンネルもしくは３チャンネルとされるｒ＝ｎ−ｑチャンネルのＨＤ−ＳＤＩ信号ＤＨＤ１〜ＤＨＤｒと、が再生されて送出されることになる。
【０１４４】
図１７に示される実施例１０におけるその他の部分は、図１３に示される実施例７における対応する部分と同様であるので、図１７における図１３に示されるブロック及び信号もしくはデータに対応するブロック及び信号もしくはデータを、図１３と共通の符号を付してあらわし、重複説明を省略する。
【０１４５】
このような、図１７に示される本願の特許請求の範囲における請求項１７に記載された発明に係るデータ受信装置の一例である実施例１０にあっては、ビットレートを１０Ｇb/s 以上、例えば、１０．６９２Ｇｂ／ｓとするビット列データＤＴＧを受け取り、受け取ったビット列データＤＴＧから、各々がＨＤ−ＳＤＩ信号のビットレートより低い規格に定められたビットレートを有したビット列データを成すシリアルディジタル映像信号である、例えば、１２チャンネルもしくは８チャンネルのＳＤ信号と、例えば、２チャンネルもしくは３チャンネルのＨＤ−ＳＤＩ信号とを再生することができる。従って、複数チャンネルのＳＤ信号とＨＤ−ＳＤＩ信号とについてのそれらを混在させて多重したもとでのシリアル伝送にあたり、その受信側装置を構成できることになる。
【実施例１１】
【０１４６】
図１８は、本願の特許請求の範囲における請求項１８に記載された発明に係るデータ受信装置の一例（実施例１１）の部分を示す。
【０１４７】
図１８にその一部分が示される例、即ち、実施例１１にあっては、図１３に示されるシリアルデータ形成部４１と同様のものとされるシリアルデータ形成部４１の出力端側に、１個のパラレルディジタル映像信号形成部６７を備えている。パラレルディジタル映像信号形成部６７には、シリアルデータ形成部４１において得られる、例えば、5 チャンネルとされるｎチャンネルのＨＤ−ＳＤＩ信号のうちの１チャンネルのＨＤ−ＳＤＩ信号ＤＨＳ１が供給される。斯かる際においてシリアルデータ形成部４１から得られる１チャンネルのＨＤ−ＳＤＩ信号ＤＨＳ１は、例えば、各々がＨＤ−ＳＤＩ信号のビットレートより低い規格に定められたビットレートを有したビット列データを成すシリアルディジタル映像信号である、複数チャンネルのＳＤ信号に変換処理が施されて形成されたものとされる。
【０１４８】
パラレルディジタル映像信号形成部６７においては、ＨＤ−ＳＤＩ信号ＤＨＳ１が、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳ１に基づく、例えば、４チャンネルとされるｐチャンネルの、各々がＨＤ−ＳＤＩ信号のビットレートより低い規格に定められたビットレートを有したビット列データを成すシリアルディジタル映像信号である、ＳＤ信号ＤＳＤ11〜ＤＳＤ1pに変換される。それにより、パラレルディジタル映像信号形成部６７から、例えば、各々がビットレートを規格化された２７０Ｍb/s とする、例えば、４チャンネルとされるｐチャンネルのＳＤ信号ＤＳＤ11〜ＤＳＤ1pが送出される。
【０１４９】
また、図１８にその一部分が示される実施例１１にあっては、シリアルデータ形成部４１から、それにおいて得られる、例えば、5 チャンネルとされるｎチャンネルのＨＤ−ＳＤＩ信号のうちの、例えば、４チャンネルとされるｒチャンネルのＨＤ−ＳＤＩ信号ＤＨＤ１〜ＤＨＤｒが送出される。これらのｒチャンネルのＨＤ−ＳＤＩ信号ＤＨＤ１〜ＤＨＤｒの夫々は、ビットレートを規格化された１．４８５Ｇb/s とする。
【０１５０】
従って、図１８にその一部分が示される実施例１１においては、シリアルデータ形成部４１から得られる、例えば、5 チャンネルとされるｎチャンネルのＨＤ−ＳＤＩ信号に基づき、例えば、４チャンネルとされるｐチャンネルのＳＤ信号ＤＳＤ11〜ＤＳＤ1pと、例えば、４チャンネルとされるｒチャンネルのＨＤ−ＳＤＩ信号ＤＨＤ１〜ＤＨＤｒと、が再生されて送出されることになる。
【０１５１】
図１８にその一部分が示される実施例１１における図示が省略された部分は、図１３に示される実施例７における対応する部分と同様とされる。
【０１５２】
このような、図１８にその一部分が示される本願の特許請求の範囲における請求項１８に記載された発明に係るデータ受信装置の一例である実施例１１にあっては、ビットレートを１０Ｇb/s 以上、例えば、１０．６９２Ｇｂ／ｓとするビット列データＤＴＧを受け取り、受け取ったビット列データＤＴＧから、各々がＨＤ−ＳＤＩ信号のビットレートより低い規格に定められたビットレートを有したビット列データを成すシリアルディジタル映像信号である、例えば、４チャンネルのＳＤ信号と、例えば、４チャンネルのＨＤ−ＳＤＩ信号とを再生することができる。従って、複数チャンネルのＳＤ信号とＨＤ−ＳＤＩ信号とについてのそれらを混在させて多重したもとでのシリアル伝送にあたり、その受信側装置を構成できることになる。
【実施例１２】
【０１５３】
図１９は、本願の特許請求の範囲における請求項１９に記載された発明に係るデータ受信装置の一例（実施例１２）の部分を示す。
【０１５４】
図１９にその一部分が示される例、即ち、実施例１２にあっては、図１３に示されるシリアルデータ形成部４１と同様のものとされるシリアルデータ形成部４１の出力端側に、例えば、４個とされるｑ個のパラレルディジタル映像信号形成部６８-1〜６８-qを備えている。パラレルディジタル映像信号形成部６８-1〜６８-qには、シリアルデータ形成部４１において得られる、例えば、5 チャンネルとされるｎチャンネルのＨＤ−ＳＤＩ信号のうちのｑチャンネルのＨＤ−ＳＤＩ信号ＤＨＳ１〜ＤＨＳｑが夫々供給される。斯かる際においてシリアルデータ形成部４１から得られるｑチャンネルのＨＤ−ＳＤＩ信号ＤＨＳ１〜ＤＨＳｑは、例えば、各々がＨＤ−ＳＤＩ信号のビットレートより低い規格に定められたビットレートを有したビット列データを成すシリアルディジタル映像信号である、複数チャンネルのＳＤ信号に変換処理が施されて形成されたものとされる。
【０１５５】
パラレルディジタル映像信号形成部６８-1においては、ＨＤ−ＳＤＩ信号ＤＨＳ１が、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳ１に基づく、例えば、４チャンネルとされるｐチャンネルの、各々がＨＤ−ＳＤＩ信号のビットレートより低い規格に定められたビットレートを有したビット列データを成すシリアルディジタル映像信号である、ＳＤ信号ＤＳＤ11〜ＤＳＤ1pに変換され，・・・・・，パラレルディジタル映像信号形成部６８-qにおいては、ＨＤ−ＳＤＩ信号ＤＨＳｑが、例えば、ＳＭＰＴＥによって制定された規格である SMPTE 349M に準拠した、複数チャンネルのＳＤ信号についてのＨＤ−ＳＤＩ信号を形成することになる多重処理、とは逆の処理が行われて、ＨＤ−ＳＤＩ信号ＤＨＳｑに基づく、例えば、４チャンネルとされるｐチャンネルのＳＤ信号ＤＳＤq1〜ＤＳＤqpに変換される。
【０１５６】
それにより、ｑ個のパラレルディジタル映像信号形成部６８-1〜６８-qから、例えば、各々がビットレートを規格化された２７０Ｍb/s とする、例えば、１６チャンネルとされるｑ×ｐチャンネルのＳＤ信号ＤＳＤ11〜ＤＳＤ1p，・・・・・，ＤＳＤq1〜ＤＳＤqpが送出される。
【０１５７】
また、図１９にその一部分が示される実施例１２にあっては、シリアルデータ形成部４１から、それにおいて得られる、例えば、5 チャンネルとされるｎチャンネルのＨＤ−ＳＤＩ信号のうちの１チャンネルのＨＤ−ＳＤＩ信号ＤＨＤ１が送出される。このＨＤ−ＳＤＩ信号ＤＨＤ１は、ビットレートを規格化された１．４８５Ｇb/s とする。
【０１５８】
従って、図１９にその一部分が示される実施例１２においては、シリアルデータ形成部４１から得られる、例えば、5 チャンネルとされるｎチャンネルのＨＤ−ＳＤＩ信号に基づき、例えば、１６チャンネルとされるｑ×ｐチャンネルのＳＤ信号ＤＳＤ11〜ＤＳＤ1p，・・・・・，ＤＳＤq1〜ＤＳＤqpと、１チャンネルのＨＤ−ＳＤＩ信号ＤＨＤ１と、が再生されて送出されることになる。
【０１５９】
図１９にその一部分が示される実施例１２におけるその他の部分は、図１３に示される実施例７における対応する部分と同様とされる。
【０１６０】
このような、図１９にその一部分が示される本願の特許請求の範囲における請求項１９に記載された発明に係るデータ受信装置の一例である実施例１２にあっては、ビットレートを１０Ｇb/s 以上、例えば、１０．６９２Ｇｂ／ｓとするビット列データＤＴＧを受け取り、受け取ったビット列データＤＴＧから、各々がＨＤ−ＳＤＩ信号のビットレートより低い規格に定められたビットレートを有したビット列データを成すシリアルディジタル映像信号である、例えば、１６チャンネルのＳＤ信号と１チャンネルのＨＤ−ＳＤＩ信号とを再生することができる。従って、複数チャンネルのＳＤ信号とＨＤ−ＳＤＩ信号とについてのそれらを混在させて多重したもとでのシリアル伝送にあたり、その受信側装置を構成できることになる。
【産業上の利用可能性】
【０１６１】
上述のような本願の特許請求の範囲における請求項１から請求項１０までのいずれかに記載された発明に係るデータ送信装置、及び、本願の特許請求の範囲における請求項１１から請求項１９までのいずれかに記載された発明に係るデータ受信装置は、規格化されたＨＤ−ＳＤＩ信号の複数チャンネルについての効率的な伝送を行うことができ、また、次世代カメラ信号，ＨＤスーパーモーション信号，４ｋ×２ｋ信号等の夫々についてのシリアル伝送を、実用に供することができる形で実現でき、さらには、多数チャンネルのＳＤ信号、あるいは、複数チャンネルのＳＤ信号とＨＤ−ＳＤＩ信号とについての多重化処理を施したもとでのシリアル伝送を、実用に供することができるものとして実現できるデータ伝送システムを構築できるものとして、ディジタル映像信号を扱う分野において広範に適用され得るものである。
【図面の簡単な説明】
【０１６２】
【図１】本願の特許請求の範囲における請求項１から請求項５までのいずれかに記載された発明に係るデータ送信装置の一例を示すブロック構成図である。
【図２】図１に示される例におけるパラレルデータ形成部の具体構成例を示すブロック構成図である。
【図３】図１に示される例の動作説明に供されるデータフォーマットを示す概念図である。
【図４】図１に示される例の動作説明に供されるデータフォーマットを示す概念図である。
【図５】図１に示される例の動作説明に供されるデータフォーマットを示す概念図である。
【図６】図１に示される例の動作説明に供されるデータフォーマットを示す概念図である。
【図７】図１に示される例の動作説明に供されるデータフォーマットを示す概念図である。
【図８】本願の特許請求の範囲における請求項６に記載された発明に係るデータ送信装置の一例を示すブロック構成図である。
【図９】本願の特許請求の範囲における請求項７に記載された発明に係るデータ送信装置の一例を示すブロック構成図である。
【図１０】本願の特許請求の範囲における請求項８に記載された発明に係るデータ送信装置の一例を示すブロック構成図である。
【図１１】本願の特許請求の範囲における請求項９に記載された発明に係るデータ送信装置の一例の部分を示すブロック構成図である。
【図１２】本願の特許請求の範囲における請求項１０に記載された発明に係るデータ送信装置の一例の部分を示すブロック構成図である。
【図１３】本願の特許請求の範囲における請求項１１から請求項１４までのいずれかに記載された発明に係るデータ受信装置の一例を示すブロック構成図である。
【図１４】図１３に示される例におけるシリアルデータ形成部の具体構成例を示すブロック構成図である。
【図１５】本願の特許請求の範囲における請求項１５に記載された発明に係るデータ受信装置の一例を示すブロック構成図である。
【図１６】本願の特許請求の範囲における請求項１６に記載された発明に係るデータ受信装置の一例を示すブロック構成図である。
【図１７】本願の特許請求の範囲における請求項１７に記載された発明に係るデータ受信装置の一例を示すブロック構成図である。
【図１８】本願の特許請求の範囲における請求項１８に記載された発明に係るデータ受信装置の一例の部分を示すブロック構成図である。
【図１９】本願の特許請求の範囲における請求項１９に記載された発明に係るデータ受信装置の一例の部分を示すブロック構成図である。
【符号の説明】
【０１６３】
１１・・・パラレルデータ形成部，  １２，１７・・・Ｓ／Ｐ変換部，  １３，１８，３６・・・ビット・ワード同期設定部，  １４，１９，４４，４７・・・ＦＩＦＯメモリ部，  １５・・・Ｋ２８．５・Ｐ．ＩＤ挿入部，  １６，２０・・・８Ｂ／１０Ｂ変換部，  ２１，３７・・・モード切換制御部，  ２２，３４・・・データ多重部，  ２３，２５，３５，３９・・・メモリ部，  ２４，３８・・・データ長変換部，  ２６・・・多チャンネルデータ形成部，  ２７・・・データ多重・Ｐ／Ｓ変換部，  ２８・・・電光変換部，  ３０・・・複数チャンネルシリアルディジタル映像信号形成部，  ３２・・・光電変換部，  ３３・・・Ｓ／Ｐ変換・多チャンネルデータ形成部，  ４０・・・データ分離部，  ４１・・・シリアルデータ形成部，  ４２，４６・・・８Ｂ／１０Ｂデコーディング変換部，  ４３・・・Ｋ２８．５・Ｐ．ＩＤ入換部，  ４５，４８・・・Ｐ／Ｓ変換部，  ５０・・・特定パラレルディジタル映像信号形成部，  ６０-1, ６０-2，６０-n，６１-1，６１-q，６２，６３-1，６３-q・・・シリアルディジタル映像信号形成部，６５-1, ６５-2，６５-n，６６-1，６６-q，６７，６８-1，６８-q・・・パラレルディジタル映像信号形成部
【図１】
2005328494.tif 000003
【図２】
2005328494.tif 000004
【図３】
2005328494.tif 000005
【図４】
2005328494.tif 000006
【図５】
2005328494.tif 000007
【図６】
2005328494.tif 000008
【図７】
2005328494.tif 000009
【図８】
2005328494.tif 000010
【図９】
2005328494.tif 000011
【図１０】
2005328494.tif 000012
【図１１】
2005328494.tif 000013
【図１２】
2005328494.tif 000014
【図１３】
2005328494.tif 000015
【図１４】
2005328494.tif 000016
【図１５】
2005328494.tif 000017
【図１６】
2005328494.tif 000018
【図１７】
2005328494.tif 000019
【図１８】
2005328494.tif 000020
【図１９】
2005328494.tif 000021
【手続補正書】
【提出日】平成17年5月13日(2005.5.13)
【手続補正１】
【補正対象書類名】特許請求の範囲
【補正対象項目名】請求項１１
【補正方法】変更
【補正の内容】
【請求項１１】
ビットレートを１０Ｇb/s 以上とするビット列データを第１のシリアルディジタル映像信号として受けるデータ受取手段と、
該データ受取手段から得られるビットレートを１０Ｇb/s 以上とするビット列データにシリアル／パラレル変換を施すとともに、各々が所定のビットレートを有したｍチャンネル（ｍは３以上の整数）のビット列データを形成するシリアル／パラレル変換・多チャンネルデータ形成手段と、
該シリアル／パラレル変換・多チャンネルデータ形成手段から得られるｍチャンネルのビット列データを多重して、多重ワード列データを形成するデータ多重手段と、
該データ多重手段から得られる多重ワード列データから、第１の所定ビット数ずつを取り出して、各々が所定ワードビット数を有したｎチャンネ（ｎはｍより小なる２以上の整数）の第１のワード列データを得るデータ分離手段と、
該データ分離手段から得られるｎチャンネの第１のワード列データが供給され、該ｎチャンネの第１のワード列データの各々に第２の所定ビット数ずつの１０ビット／８ビット変換処理を施して、各々が規格に定められたライン分データ構造を有したパラレルディジタル映像信号とされるｎチャンネルの第２のワード列データを形成する複数の１０ビット／８ビット変換手段と、
該複数の１０ビット／８ビット変換手段から得られるｎチャンネルの第２のワード列データが供給され、上記ｎチャンネルの第２のワード列データに基づく、各々が規格に定められたビットレートを有したビット列データを成すｎチャンネルの第２のシリアルディジタル映像信号を得る複数のパラレル／シリアル変換手段と、
を備えて構成されるデータ受信装置。
【手続補正２】
【補正対象書類名】明細書
【補正対象項目名】００１７
【補正方法】変更
【補正の内容】
【００１７】
一方、本願の特許請求の範囲における請求項１１から請求項１９までのいずれかに記載された発明に係るデータ受信装置は、ビットレートを１０Ｇb/s 以上とするビット列データを第１のシリアルディジタル映像信号として受けるデータ受取手段と、データ受取手段から得られるビットレートを１０Ｇb/s 以上とするビット列データにＳ／Ｐ変換を施すとともに、各々が所定のビットレートを有したｍチャンネルのビット列データを形成するＳ／Ｐ変換・多チャンネルデータ形成手段と、Ｓ／Ｐ変換・多チャンネルデータ形成手段から得られるｍチャンネルのビット列データを多重して、多重ワード列データを形成するデータ多重手段と、データ多重手段から得られる多重ワード列データから、第１の所定ビット数ずつを取り出して、各々が所定ワードビット数を有したｎチャンネの第１のワード列データを得るデータ分離手段と、データ分離手段から得られるｎチャンネの第１のワード列データが供給され、それらの各々に第２の所定ビット数ずつの１０ビット／８ビット変換（８Ｂ／１０Ｂデコーディング変換）処理を施して、各々が規格に定められたライン分データ構造を有したパラレルディジタル映像信号とされるｎチャンネルの第２のワード列データを形成する複数の８Ｂ／１０Ｂデコーディング変換手段と、複数の８Ｂ／１０Ｂデコーディング変換手段から得られるｎチャンネルの第２のワード列データが供給され、それらに基づく、各々が規格に定められたビットレートを有したビット列データを成すｎチャンネルの第２のシリアルディジタル映像信号を得る複数のＰ／Ｓ変換手段と、を備えて構成される。
【手続補正３】
【補正対象書類名】明細書
【補正対象項目名】００２５
【補正方法】変更
【補正の内容】
【００２５】
一方、本願の特許請求の範囲における請求項１１から請求項１９までのいずれかに記載された発明に係るデータ受信装置にあっては、ビットレートを１０Ｇb/s 以上、例えば、１０．６９２Ｇｂ／ｓとするビット列データが第１のシリアルディジタル映像信号として受けられ、その、ビットレートを１０Ｇb/s 以上、例えば、１０．６９２Ｇｂ／ｓとするビット列データにＳ／Ｐ変換が施されて、各々が所定のビットレート、例えば、６６８．２５Ｍｂ／ｓのビットレートを有したｍチャンネルのビット列データが形成され、その後、ｍチャンネルのビット列データが多重されて、多重ワード列データが形成される。次に、多重ワード列データから、第１の所定ビット数ずつ、例えば、２５０ビットずつが取り出されて、各々が所定の、例えば、５０ビットのワードビット数を有したｎチャンネ、例えば、５チャンネルの第１のワード列データが形成される。そして、５チャンネルの第１のワード列データの各々に第２の所定ビット数ずつ、例えば、５０ビットずつの８Ｂ／１０Ｂデコーディング変換が施されて、各々が規格に定められたライン分データ構造を有したパラレルディジタル映像信号とされるｎチャンネルの第２のワード列データが形成される。続いて、ｎチャンネルの第２のワード列データが、複数のＰ／Ｓ変換手段により夫々にＰ／Ｓ変換が施され、それにより、例えば、５チャンネルのＨＤ−ＳＤＩ信号とされる、各々が規格に定められたビットレート、例えば、１．４８５Ｇｂ／ｓのビットレートを有するものとされたビット列データを成すｎチャンネルの第２のシリアルディジタル映像信号が得られる。
【手続補正４】
【補正対象書類名】明細書
【補正対象項目名】００３２
【補正方法】変更
【補正の内容】
【００３２】
さらに、本願の特許請求の範囲における請求項８に記載された発明に係るデータ送信装置によれば、例えば、１６チャンネル以下とされるｐ×ｑチャンネルのＳＤ信号を、例えば、４チャンネルとされるｐチャンネルずつ、例えば、４組以下とされるｑ組に分け、ｐチャンネルずつのＳＤ信号のｑ組を、ｑ個のシリアルディジタル映像信号形成部に夫々供給して、各シリアルディジタル映像信号形成部からｐチャンネルのＳＤ信号に基づく、例えば、ＨＤ−ＳＤＩ信号を得ることにより、ｐ×ｑチャンネルのＳＤ信号を、ｑチャンネルのＨＤ−ＳＤＩ信号とされる、ｑチャンネルの第１のシリアルディジタル映像信号に変換し、さらに、それらに、別途に用意した、例えば、１チャンネル以上とされるｎ−ｑチャンネルのＨＤ−ＳＤＩ信号と共に多重化処理を施した後、ビットレートを１０Ｇb/s 以上、例えば、１０．６９２Ｇb/s とするビット列データを成す第２のシリアルディジタル映像信号に変換して、それを伝送すべく送出することができる。従って、複数チャンネルのＳＤ信号とＨＤ−ＳＤＩ信号とについての多重化処理を施したもとでのシリアル伝送を、実用に供することができるものとして実現できることになる。
【手続補正５】
【補正対象書類名】明細書
【補正対象項目名】００７８
【補正方法】変更
【補正の内容】
【００７８】
そして、シリアルディジタル映像信号形成部６０-1は、ｐチャンネルのＳＤ信号ＤＳＤ11〜ＤＳＤ1pに、例えば、ＳＭＰＴＥによって制定された規格である SMPTE 349M 、即ち、SMPTE STANDARD  SMPTE 349M-2001, for Television − Transport of Alternate Source Image Formats through SMPTE 292M に準拠した多重処理を施して、ｐチャンネルのＳＤ信号ＤＳＤ11〜ＤＳＤ1pに基づく１チャンネルのＨＤ−ＳＤＩ信号ＤＨＳ１を形成する。同様に、シリアルディジタル映像信号形成部６０-2は、ｐチャンネルのＳＤ信号ＤＳＤ21〜ＤＳＤ2pに、例えば、ＳＭＰＴＥによって制定された規格である SMPTE 349M に準拠した多重処理を施して、ｐチャンネルのＳＤ信号ＤＳＤ21〜ＤＳＤ2pに基づく１チャンネルのＨＤ−ＳＤＩ信号ＤＨＳ２を形成し、・・・・・、シリアルディジタル映像信号形成部６０-nは、ｐチャンネルのＳＤ信号ＤＳＤn1〜ＤＳＤnpに、例えば、ＳＭＰＴＥによって制定された規格である SMPTE 349M に準拠した多重処理を施して、ｐチャンネルのＳＤ信号ＤＳＤn1〜ＤＳＤnpに基づく１チャンネルのＨＤ−ＳＤＩ信号ＤＨＳｎを形成する。
【手続補正６】
【補正対象書類名】明細書
【補正対象項目名】００８９
【補正方法】変更
【補正の内容】
【００８９】
その結果、パラレルデータ形成部１１には、ｑ個のシリアルディジタル映像信号形成部６１-1〜６１-qからのｑチャンネルのＨＤ−ＳＤＩ信号ＤＨＳ１〜ＤＨＳｑとｒ＝ｎ−ｑチャンネルのＨＤ−ＳＤＩ信号ＤＨＤ１〜ＤＨＤｒとの、合計で、例えば、５チャンネルとされるｎチャンネルのＨＤ−ＳＤＩ信号ＤＨＳ１〜ＤＨＳｑ及びＤＨＤ１〜ＤＨＤｒが供給されることになる。そして、斯かる図１０に示されるパラレルデータ形成部１１も、図１に示されるパラレルデータ形成部１１におけるデータ処理部ＰＤ１，ＰＤ２，・・・，ＰＤｎに対応する、ｎチャンネルのＨＤ−ＳＤＩ信号ＤＨＳ１〜ＤＨＳｑ及びＤＨＤ１〜ＤＨＤｒに対するｎ個のデータ処理部を内蔵している。
【手続補正７】
【補正対象書類名】明細書
【補正対象項目名】００９８
【補正方法】変更
【補正の内容】
【００９８】
このような、図１１にその一部分が示される本願の特許請求の範囲における請求項９に記載された発明に係るデータ送信装置の一例である実施例５にあっては、例えば、４チャンネルとされるｐチャンネルのＳＤ信号ＤＳＤ11〜ＤＳＤ1pと、例えば、４チャンネルとされるｒチャンネルのＨＤ−ＳＤＩ信号ＤＨＤ１〜ＤＨＤｒとに基づく、例えば、５チャンネルとされるｎチャンネルのＨＤ−ＳＤＩ信号ＤＨＳ１及びＤＨＤ１〜ＤＨＤｒを、それらに多重化処理を施した後、ビットレートを１０Ｇb/s 以上、例えば、１０．６９２Ｇb/s とするビット列データＤＴＧに変換し、それを伝送すべく送出することができる。従って、複数チャンネルのＳＤ信号とＨＤ−ＳＤＩ信号とについての多重化処理を施したもとでのシリアル伝送を、実用に供することができるものとして実現できることになる。
【手続補正８】
【補正対象書類名】明細書
【補正対象項目名】０１０７
【補正方法】変更
【補正の内容】
【０１０７】
このような、図１２にその一部分が示される本願の特許請求の範囲における請求項１０に記載された発明に係るデータ送信装置の一例である実施例６にあっては、例えば、１６チャンネルとされるｐ×ｑチャンネルのＳＤ信号ＤＳＤ11〜ＤＳＤ1p，・・・・・，ＤＳＤq1〜ＤＳＤqpと１チャンネルのＨＤ−ＳＤＩ信号ＤＨＤ１とに基づく、例えば、５チャンネルとされるｎチャンネルのＨＤ−ＳＤＩ信号ＤＨＳ１〜ＤＨＳｑ及びＤＨＤ１を、それらに多重化処理を施した後、ビットレートを１０Ｇb/s 以上、例えば、１０．６９２Ｇb/s とするビット列データＤＴＧに変換し、それを伝送すべく送出することができる。従って、複数チャンネルのＳＤ信号とＨＤ−ＳＤＩ信号とについての多重化処理を施したもとでのシリアル伝送を、実用に供することができるものとして実現できることになる。
【手続補正９】
【補正対象書類名】明細書
【補正対象項目名】０１２０
【補正方法】変更
【補正の内容】
【０１２０】
Ｐ／Ｓ変換部４５においては、ワード列データＤｈ１にＰ／Ｓ変換が施されて、ワード列データＤｈ１に基づく、ビットレートを規格化された１．４８５Ｇb/s とするシリアルディジタル映像信号であるＨＤ−ＳＤＩ信号ＤＨＳ１が形成される。そして、このＰ／Ｓ変換部４５において形成されるＨＤ−ＳＤＩ信号ＤＨＳ１が、データ処理部ＰＲ１からの出力データとされる。